(57)【要約】生産性を落とすことなく、バンディング及び色ムラの発生を抑制することができる画像処理装置及び方法、ディザマスクのセット、並びに画像記録装置を提供する。複数色のうちの第１の色の画像データに対して、少なくとも一部の記録デューティの範囲について、ノズル列の両端部にそれぞれ位置する端部ノズルのノズル吐出率が、ノズル列の中央部に位置する中央部ノズルのノズル吐出率よりも低く抑えられた第１のノズル吐出率を実現するディザマスクを用いてハーフトーン処理を行う。第１の色と異なる第２の色の画像データに対して、第１のノズル吐出率と比べて、端部ノズルのノズル吐出率と中央部ノズルのノズル吐出率の差が小さい第２のノズル吐出率を実現するディザマスクを用いてハーフトーン処理を行う。
2018235386.tif 000002
【特許請求の範囲】
【請求項１】
複数色のインクの色ごとに、それぞれのインクを吐出する複数のノズルが副走査方向に配列されたノズル列を有する記録ヘッドを記録媒体に対して前記副走査方向と直交する主走査方向及び前記副走査方向に相対移動させながら前記記録媒体に画像を記録するための前記色ごとのドットの配置パターンを表すドットデータを生成する画像処理装置であって、
前記複数色のうちの第１の色の画像データに対して、少なくとも一部の記録デューティの範囲について、前記ノズル列の両端部にそれぞれ位置する端部ノズルのノズル吐出率が、前記ノズル列の中央部に位置する中央部ノズルのノズル吐出率よりも低く抑えられた第１のノズル吐出率を実現するディザマスクを用いてハーフトーン処理を行い、
かつ、
前記複数色のうちの前記第１の色と異なる第２の色の画像データに対して、前記記録デューティの前記範囲について、前記第１のノズル吐出率と比べて、端部ノズルのノズル吐出率と中央部ノズルのノズル吐出率の差が小さい第２のノズル吐出率を実現するディザマスクを用いてハーフトーン処理を行うハーフトーン処理部を備える画像処理装置。
【請求項２】
前記第１のノズル吐出率における前記ノズル列の最も端に位置する端ノズルのノズル吐出率が、前記第２のノズル吐出率における前記ノズル列の最も端に位置する端ノズルのノズル吐出率よりも低い請求項１に記載の画像処理装置。
【請求項３】
前記第１の色の方が前記第２の色よりバンディングの視認性が高い請求項１又は２に記載の画像処理装置。
【請求項４】
前記第１の色の方が前記第２の色より他の色と重ねた場合の色ムラの視認性が低い請求項１又は２に記載の画像処理装置。
【請求項５】
前記第１の色の方が前記第２の色より濃度が濃い請求項１又は２に記載の画像処理装置。
【請求項６】
前記第１の色の方が前記第２の色より彩度が低い請求項１又は２に記載の画像処理装置。
【請求項７】
前記第２のノズル吐出率における前記ノズル列の各ノズルのノズル吐出率が一定である請求項１から６のいずれか一項に記載の画像処理装置。
【請求項８】
前記複数色は、シアン、マゼンタ、イエロー、及びブラックの４色を含み、
ブラックの画像データに対して、前記第１のノズル吐出率を実現するディザマスクが用いられ、
シアン、マゼンタ、イエローのうち、少なくとも１色の画像データに対して、前記第２のノズル吐出率を実現するディザマスクが用いられる請求項１から７のいずれか一項に記載の画像処理装置。
【請求項９】
前記複数色は、シアン、マゼンタ、及びイエローの３色を含み、
シアン及びマゼンタのうち、少なくとも１色の画像データに対して、前記第１のノズル吐出率を実現するディザマスクが用いられ、
イエローの画像データに対して、前記第２のノズル吐出率を実現するディザマスクが用いられる請求項１から７のいずれか一項に記載の画像処理装置。
【請求項１０】
前記複数色は、シアン及びマゼンタの２色を含み、
シアン及びマゼンタのうち一方の色の画像データに対して、前記第１のノズル吐出率を実現するディザマスクが用いられ、
シアン及びマゼンタのうち他方の色の画像データに対して、前記第２のノズル吐出率を実現するディザマスクが用いられる請求項１から７のいずれか一項に記載の画像処理装置。
【請求項１１】
前記複数色は、シアン、マゼンタ、イエロー、及びブラックの４色を含み、
ブラックのインクを吐出する各ノズルのノズル吐出率は、他の色のインクを吐出する各ノズルのノズル吐出率と比べて、前記ノズル列の最も端に位置する端ノズルのノズル吐出率が、最も低い請求項１から７のいずれか一項に記載の画像処理装置。
【請求項１２】
前記複数色は、シアン、マゼンタ、イエロー、及びブラックの４色を含み、
ブラックのインクを吐出する各ノズルのノズル吐出率は、他の色のインクを吐出する各ノズルのノズル吐出率と比べて、端部ノズルのノズル吐出率と中央部ノズルのノズル吐出率の差が最も大きい請求項１から７のいずれか一項に記載の画像処理装置。
【請求項１３】
前記複数色は、シアン、マゼンタ、イエロー、及びブラックの４色を含み、
シアン及びマゼンタの少なくとも一方のインクを吐出する各ノズルのノズル吐出率が、ブラックのインクを吐出する各ノズルのノズル吐出率と比べて、前記ノズル列の最も端に位置する端ノズルのノズル吐出率が高い請求項１から７のいずれか一項に記載の画像処理装置。
【請求項１４】
前記複数色は、シアン、マゼンタ、イエロー、及びブラックの４色を含み、
シアン及びマゼンタの少なくとも一方のインクを吐出する各ノズルのノズル吐出率が、ブラックのインクを吐出する各ノズルのノズル吐出率と比べて、端部ノズルのノズル吐出率と中央部ノズルのノズル吐出率の差が小さい請求項１から７のいずれか一項に記載の画像処理装置。
【請求項１５】
シアンのインクを吐出する各ノズルのノズル吐出率と、マゼンタのインクを吐出する各ノズルのノズル吐出率とが異なる請求項１３又は１４に記載の画像処理装置。
【請求項１６】
前記複数色は、イエローを含み、
イエローのインクを吐出する各ノズルのノズル吐出率は、他の色のインクを吐出する各ノズルのノズル吐出率と比べて、前記ノズル列の最も端に位置する端ノズルのノズル吐出率が最も高い請求項１から７のいずれか一項に記載の画像処理装置。
【請求項１７】
前記複数色は、イエローを含み、
イエローのインクを吐出する各ノズルのノズル吐出率は、他の色のインクを吐出する各ノズルのノズル吐出率と比べて、端部ノズルのノズル吐出率と中央部ノズルのノズル吐出率の差が最も小さい請求項１から７のいずれか一項に記載の画像処理装置。
【請求項１８】
前記複数色は、イエローを含み、
イエローの画像データに適用されるディザマスクは、イエローのインクを吐出する各ノズルのノズル吐出率が一定である均一なノズル吐出率を実現するディザマスクである請求項１から７のいずれか一項に記載の画像処理装置。
【請求項１９】
前記第１のノズル吐出率を実現するディザマスクと前記第２のノズル吐出率を実現するディザマスクを含む前記複数種類のディザマスクを記憶しておくディザマスク記憶部と、
前記ハーフトーン処理の対象とする画像データの色種に応じて、前記複数種類のディザマスクの中からハーフトーン処理に用いるディザマスクを選択するディザマスク選択部と、
を備える請求項１から１８のいずれか一項に記載の画像処理装置。
【請求項２０】
前記ハーフトーン処理部は、
前記第１の色の画像データに対して、前記第１のノズル吐出率を実現する第１のディザマスクを用いてハーフトーン処理を行う第１のハーフトーン処理部と、
前記第２の色の画像データに対して、前記第２のノズル吐出率を実現する第２のディザマスクを用いてハーフトーン処理を行う第２のハーフトーン処理部と、
を含む請求項１から１８のいずれか一項に記載の画像処理装置。
【請求項２１】
複数色のインクの色ごとに、それぞれのインクを吐出する複数のノズルが副走査方向に配列されたノズル列を有する記録ヘッドを記録媒体に対して前記副走査方向と直交する主走査方向及び前記副走査方向に相対移動させながら前記記録媒体に画像を記録するための前記色ごとのドットの配置パターンを表すドットデータを生成する画像処理方法であって、
前記複数色のうちの第１の色の画像データに対して、少なくとも一部の記録デューティの範囲について、前記ノズル列の両端部にそれぞれ位置する端部ノズルのノズル吐出率が、前記ノズル列の中央部に位置する中央部ノズルのノズル吐出率よりも低く抑えられた第１のノズル吐出率を実現するディザマスクを用いてハーフトーン処理を行い、
かつ、
前記複数色のうちの前記第１の色と異なる第２の色の画像データに対して、前記記録デューティの前記範囲について、前記第１のノズル吐出率と比べて、端部ノズルのノズル吐出率と中央部ノズルのノズル吐出率の差が小さい第２のノズル吐出率を実現するディザマスクを用いてハーフトーン処理を行うハーフトーン処理工程を備える画像処理方法。
【請求項２２】
複数色のインクの色ごとに、それぞれのインクを吐出する複数のノズルが副走査方向に配列されたノズル列を有する記録ヘッドを記録媒体に対して前記副走査方向と直交する主走査方向及び前記副走査方向に相対移動させながら前記記録媒体に画像を記録するための前記色ごとのドットの配置パターンを表すドットデータを生成するハーフトーン処理に用いるディザマスクのセットであって、
前記複数色のうちの第１の色の画像データに対して用いられ、少なくとも一部の記録デューティの範囲について、前記ノズル列の両端部にそれぞれ位置する端部ノズルのノズル吐出率が、前記ノズル列の中央部に位置する中央部ノズルのノズル吐出率よりも低く抑えられた第１のノズル吐出率を実現するディザマスクと、
前記複数色のうちの前記第１の色と異なる第２の色の画像データに対して用いられ、前記記録デューティの前記範囲について、前記第１のノズル吐出率と比べて、端部ノズルのノズル吐出率と中央部ノズルのノズル吐出率の差が小さい第２のノズル吐出率を実現するディザマスクと、
を含むディザマスクのセット。
【請求項２３】
複数色のインクの色ごとに、それぞれのインクを吐出する複数のノズルが副走査方向に配列されたノズル列を有する記録ヘッドと、
前記複数色のうちの第１の色の画像データに対して、少なくとも一部の記録デューティの範囲について、前記ノズル列の両端部にそれぞれ位置する端部ノズルのノズル吐出率が、前記ノズル列の中央部に位置する中央部ノズルのノズル吐出率よりも低く抑えられた第１のノズル吐出率を実現するディザマスクを用いてハーフトーン処理を行い、かつ、前記複数色のうちの前記第１の色と異なる第２の色の画像データに対して、前記記録デューティの前記範囲について、前記第１のノズル吐出率と比べて、端部ノズルのノズル吐出率と中央部ノズルのノズル吐出率の差が小さい第２のノズル吐出率を実現するディザマスクを用いてハーフトーン処理を行うハーフトーン処理部と、
前記ハーフトーン処理を経て得られた色ごとのドットの配置パターンを表すドットデータに基づいて、前記ノズルからのインクの吐出を制御し、かつ、前記記録ヘッドを記録媒体に対して前記副走査方向と直交する主走査方向に相対移動させながら前記ノズルからインクを吐出して記録を行う主走査動作と、前記記録媒体を前記記録ヘッドに対して前記副走査方向に相対移動させる副走査動作とを繰り返して前記記録媒体に画像を記録させる制御を行う記録制御部と、
を備える画像記録装置。
【発明の詳細な説明】
【技術分野】
【０００１】
本発明は画像処理装置及び方法、ディザマスクのセット、並びに画像記録装置に係り、特に、ノズル列を有する記録ヘッドを記録媒体に対して相対移動させながら画像の記録を行うシリアル式インクジェットプリンタのインク吐出制御に好適なハーフトーン処理技術に関する。
【背景技術】
【０００２】
シリアル式インクジェットプリンタは、主走査方向に沿って記録ヘッドを移動させながら記録ヘッドのノズルからインクを吐出して記録を行う主走査動作と、副走査方向へ記録媒体を間欠搬送する媒体送り動作である副走査動作とを繰り返して記録媒体に画像を記録する。【０００３】
このような画像記録方法は、記録ヘッドの各ノズルによる記録媒体への各ドットの記録位置誤差や各ノズルの吐出量誤差、若しくは、ドットの記録順や記録タイミングなどによって記録媒体上での着弾液滴の挙動、すなわちドット挙動が変わる。記録媒体上でのドット挙動が変化することに起因して、各印刷パスの繰り返し周期で記録濃度に変化を生じたり、各印刷パスの境界が目立ったりするなどの「バンディング」と呼ばれる濃度ムラが発生する。バンディングが発生すると、印刷画質が低下するという問題が発生する。【０００４】
かかる問題に対して、例えば、特許文献１及び２には、ハーフトーン処理結果を各走査及び各ノズルに割り当てる際にマスクパターンを用いて、各ノズルの使用率を制御する方法が開示されている。ノズルの使用率は、ドットを記録するためにノズルから液滴を吐出する頻度を表しており、ノズルの使用頻度、若しくは、吐出率と理解してもよい。【０００５】
特許文献３には、ディザマスクを用いた組織的ディザ法によるハーフトーン処理を行うことにより、記録ヘッドの各ノズルの使用率を制御するシリアル式インクジェットプリンタが開示されている。【０００６】
特許文献３に記載のプリンタでは、記録ヘッドのノズル列の両端部のそれぞれに配置されたノズル群の少なくとも一方のノズル使用率が、両端部のノズル群の間に配置された中間ノズル群のノズル使用率よりも小さくなるように、ディザマスクの閾値を設定することにより、バンディングの抑制を図っている。特許文献３は、バンディング抑制のため、ノズル列の両端部のノズル群によって記録される画素のドット密度を、中間ノズル群によって記録される画素のドット密度よりも低くするディザマスクを生成する方法が開示されている。【０００７】
なお、特許文献３における「印刷ヘッド」は、本明細書における「記録ヘッド」に対応する用語である。また、特許文献３における「ノズル使用率」は、本明細書における「ノズル吐出率」に対応する用語である。特許文献３における「中間ノズル群」は、本明細書における「中央部ノズル」に対応する用語である。
【先行技術文献】
【特許文献】
【０００８】
【特許文献１】特開２００５−８８４６７号公報
【特許文献２】特開２００９−１６０８７６号公報
【特許文献３】特開２０１０−１６２７７０号公報
【発明の概要】
【発明が解決しようとする課題】
【０００９】
特許文献１及び２に記載された方法のように、ハーフトーン処理結果を各走査及び各ノズルに割り当てるマスクパターンを用いて各ノズルの吐出率を制御する方法は、印刷速度が低下してしまう、つまり、生産性が低下してしまう課題がある。【００１０】
各画素に対して何れの走査及びノズルによって記録を行うかをマスクパターンによって制御できることの前提は、何れの走査及びノズルでもその画素を記録できるということであり、それだけ余分な走査が必要となるため生産性が低下してしまう。【００１１】
これに対し、特許文献３に記載されている方法のように、ハーフトーン処理のディザマスクに各ノズルの吐出率を反映して、記録を制御する方法の場合、上記の生産性が低下する課題を解消することができる。つまり、ハーフトーン処理自体に各ノズルの吐出率を反映させ、各ノズルの吐出率を反映したハーフトーン処理結果を得て記録を制御する場合、各々の画素に対して記録可能な走査及びノズルは予め１つに定められており、余分な走査の必要がないため、生産性が低下しない。【００１２】
特許文献３に記載された方法では、ノズル列における端部のノズル群の使用率を中央部の（中間の）ノズル群の使用率よりも小さくするディザマスクを生成する。特許文献３に記載された方法により生成されるディザマスクを用いてハーフトーン処理を行うことにより、ノズル列における端部のノズル群と中央部のノズル群とで使用率が不均一となるドットパターンが生成される。【００１３】
特許文献３に記載のように、ハーフトーン処理結果に各ノズルの吐出率を反映させる方法は、各走査及び各ノズルに予め定められた記録可能な画素の中で、実際に記録する画素の割合をノズルごと制御する方法となるため、生産性の低下という問題がない。【００１４】
その一方で、ハーフトーン処理結果に各ノズルの吐出率を反映して記録を制御する方法の場合、ノズル列における各ノズルの吐出率を不均一に偏らせると、各々の画素においてドットＯＮとなる確率が、その不均一な吐出率に従って不均一に偏る。そして、各色のドット配置が偏る結果、各色のドットが重なる確率も偏り、結果、色ムラを生じてしまう課題がある。かかる色ムラの課題の具体的な説明と、原因の考察について詳細は後述する。【００１５】
本発明はこのような事情に鑑みてなされたもので、上記の課題を解決し、生産性を落とすことなく、バンディングの発生及び色ムラの発生を抑制することができる画像処理装置及び方法、ディザマスクのセット、並びに画像記録装置を提供することを目的とする。
【課題を解決するための手段】
【００１６】
課題を解決するために、次の発明態様を提供する。【００１７】
態様１に係る画像処理装置は、複数色のインクの色ごとに、それぞれのインクを吐出する複数のノズルが副走査方向に配列されたノズル列を有する記録ヘッドを記録媒体に対して副走査方向と直交する主走査方向及び副走査方向に相対移動させながら記録媒体に画像を記録するための色ごとのドットの配置パターンを表すドットデータを生成する画像処理装置であって、複数色のうちの第１の色の画像データに対して、少なくとも一部の記録デューティの範囲について、ノズル列の両端部にそれぞれ位置する端部ノズルのノズル吐出率が、ノズル列の中央部に位置する中央部ノズルのノズル吐出率よりも低く抑えられた第１のノズル吐出率を実現するディザマスクを用いてハーフトーン処理を行い、かつ、複数色のうちの第１の色と異なる第２の色の画像データに対して、記録デューティの範囲について、第１のノズル吐出率と比べて、端部ノズルのノズル吐出率と中央部ノズルのノズル吐出率の差が小さい第２のノズル吐出率を実現するディザマスクを用いてハーフトーン処理を行うハーフトーン処理部を備える。【００１８】
態様１によれば、複数色の画像データのうち、異なる２色である第１の色と第２の色の画像データに対して、それぞれ異なる種類のディザマスクが適用される。複数種類のディザマスクのうち、第１の色の画像データに用いられるディザマスクと、第２の色の画像データに用いられるディザマスクは、それぞれ少なくとも一部の記録デューティの範囲について、異なる特定のノズル吐出率になるドット配置を生成するように閾値が設定されている。各色に対応する画像データに対して、それぞれ対応するディザマスクを用いてハーフトーン処理を行うことにより、色ごとのドットデータが得られる。ハーフトーン処理結果であるドットデータに基づき、各ノズルの吐出動作が制御される。【００１９】
態様１によれば、複数色のうち少なくとも２色の異なる色の画像データに対して、異なる種類のディザマスクが適用され、少なくとも２色について色ごとに異なるノズル吐出率のドット配置が得られる。これにより、２色以上の色を組み合わせて得られる混合色の色ムラの発生を抑制し得るドット配置の組み合わせを実現できる。２色以上の色を組み合わせて混合色を得ることを、色を「重ねる」或いは、色を「重畳する」と表現する場合がある。【００２０】
混合色を得るには、２色以上の各色のドットを同じ位置に記録する場合に限らず、２色以上の各色のドットを所定の近傍領域内に併置して視覚混合による混色現象を利用してもよい。【００２１】
また、態様１によれば、記録媒体上の各位置の記録を担当するノズルと走査順が予め特定されており、ハーフトーン処理結果に基づき、実際に記録する画素の割合がノズルごとに制御されるため、生産性の低下という問題がない。更に、少なくとも１色について、ノズル列における端部ノズルのノズル吐出率を、中央部ノズルのノズル吐出率よりも低く抑えた不均一なノズル吐出率（第１のノズル吐出率）とすることにより、該当する少なくとも１色について、バンディングを効果的に抑制することができる。【００２２】
「色」という用語は、有彩色と無彩色とを含む。【００２３】
「少なくとも一部の記録デューティの範囲」は、中間調の範囲を含むことが好ましい。【００２４】
複数色の色ごとにそれぞれ異なる種類のディザマスクを適用してもよいし、複数色のうち、一部の異なる色に対して１種類の同じディザマスクを適用してもよい。【００２５】
複数種類のディザマスクの中に、第１のノズル吐出率と第２のノズル吐出率の関係を満たす少なくとも２種類のディザマスクが含まれていればよい。【００２６】
「第１のノズル吐出率と比べて、端部ノズルのノズル吐出率と中央部ノズルのノズル吐出率の差が小さい第２のノズル吐出率」とは、第１のノズル吐出率よりも、各ノズルのノズル吐出率が均一に近いことを意味している。ノズル吐出率の「差」とは、比較するノズル吐出率の値の差異、つまり、両者の差の大きさ（絶対値）を意味している。【００２７】
第２のノズル吐出率は、各ノズルのノズル吐出率が均一なノズル吐出率であってもよいし、端部ノズルのノズル吐出率が、ノズル列の中央部に位置する中央部ノズルのノズル吐出率よりも低く抑えられた不均一なノズル吐出率であってもよい。【００２８】
態様２は、態様１の画像処理装置において、第１のノズル吐出率におけるノズル列の最も端に位置する端ノズルのノズル吐出率が、第２のノズル吐出率におけるノズル列の最も端に位置する端ノズルのノズル吐出率よりも低い画像処理装置である。【００２９】
端ノズルのノズル吐出率を低く抑えるほど、バンディングを効果的に抑制することができる。ブラックなどの無彩色、若しくは、相対的に濃度の濃い色など、バンディングが目立ちやすい色について、第１のノズル吐出率となるドット配置を得ることが好ましい。【００３０】
態様３は、態様１又は態様２の画像処理装置において、第１の色の方が第２の色よりバンディングの視認性が高い画像処理装置である。【００３１】
態様４は、態様１又は態様２の画像処理装置において、前記第１の色の方が前記第２の色より他の色と重ねた場合の色ムラの視認性が低い画像処理装置である。【００３２】
態様５は、態様１又は態様２の画像処理装置において、前記第１の色の方が前記第２の色より濃度が濃い画像処理装置である。【００３３】
態様６は、態様１又は態様２に記載の画像処理装置において、第１の色の方が第２の色より彩度が低い画像処理装置である。【００３４】
態様７は、態様１から態様６のいずれか一態様の画像処理装置において、第２のノズル吐出率におけるノズル列の各ノズルのノズル吐出率が一定である画像処理装置である。【００３５】
態様８は、態様１から態様７のいずれか一態様の画像処理装置において、複数色は、シアン、マゼンタ、イエロー、及びブラックの４色を含み、ブラックの画像データに対して、第１のノズル吐出率を実現するディザマスクが用いられ、シアン、マゼンタ、イエローのうち、少なくとも１色の画像データに対して、第２のノズル吐出率を実現するディザマスクが用いられる画像処理装置である。【００３６】
複数色は、シアン、マゼンタ、イエロー、及びブラックの４色に加え、他の色を含んでもよい。【００３７】
態様９は、態様１から態様７のいずれか一態様の画像処理装置において、複数色は、シアン、マゼンタ、及びイエローの３色を含み、シアン及びマゼンタのうち、少なくとも１色の画像データに対して、第１のノズル吐出率を実現するディザマスクが用いられ、イエローの画像データに対して、第２のノズル吐出率を実現するディザマスクが用いられる画像処理装置である。【００３８】
複数色は、シアン、マゼンタ、及びイエローの３色に加え、他の色を含んでもよい。【００３９】
態様１０は、態様１から態様７のいずれか一態様の画像処理装置において、複数色は、シアン及びマゼンタの２色を含み、シアン及びマゼンタのうち一方の色の画像データに対して、第１のノズル吐出率を実現するディザマスクが用いられ、シアン及びマゼンタのうち他方の色の画像データに対して、第２のノズル吐出率を実現するディザマスクが用いられる画像処理装置である。【００４０】
複数色は、マゼンタ及びシアンの２色に加え、他の色を含んでもよい。複数色に含まれるシアンとマゼンタに注目した場合、両者に対してそれぞれ異なる種類のディザマスクが適用されてよい。【００４１】
態様１１は、態様１から態様７のいずれか一態様の画像処理装置において、複数色は、シアン、マゼンタ、イエロー、及びブラックの４色を含み、ブラックのインクを吐出する各ノズルのノズル吐出率は、他の色のインクを吐出する各ノズルのノズル吐出率と比べて、ノズル列の最も端に位置する端ノズルのノズル吐出率が最も低い画像処理装置である。【００４２】
態様１１によれば、バンディングが特に目立ちやすいブラックについて、端ノズルのノズル吐出率を最も低くしたことにより、バンディングを効果的に抑制することができる。【００４３】
態様１２は、態様１から７のいずれか一態様の画像処理装置において、複数色は、シアン、マゼンタ、イエロー、及びブラックの４色を含み、ブラックのインクを吐出する各ノズルのノズル吐出率は、他の色のインクを吐出する各ノズルのノズル吐出率と比べて、端部ノズルのノズル吐出率と中央部ノズルのノズル吐出率との差が最も大きい画像処理装置である。【００４４】
態様１３は、態様１から７のいずれか一態様の画像処理装置において、複数色は、シアン、マゼンタ、イエロー、及びブラックの４色を含み、シアン及びマゼンタの少なくとも一方のインクを吐出する各ノズルのノズル吐出率が、ブラックのインクを吐出する各ノズルのノズル吐出率と比べて、ノズル列の最も端に位置する端ノズルのノズル吐出率が高い画像処理装置である。【００４５】
態様１４は、態様１から７のいずれか一態様の画像処理装置において、複数色は、シアン、マゼンタ、イエロー、及びブラックの４色を含み、シアン及びマゼンタの少なくとも一方のインクを吐出する各ノズルのノズル吐出率が、ブラックのインクを吐出する各ノズルのノズル吐出率と比べて、端部ノズルのノズル吐出率と中央部ノズルのノズル吐出率の差が小さい画像処理装置である。【００４６】
態様１５は、態様１３又は態様１４の画像処理装置において、シアンのインクを吐出する各ノズルのノズル吐出率と、マゼンタのインクを吐出する各ノズルのノズル吐出率とが異なる画像処理装置である。【００４７】
態様１６は、態様１から態様７のいずれか一態様の画像処理装置において、複数色は、イエローを含み、イエローのインクを吐出する各ノズルのノズル吐出率は、他の色のインクを吐出する各ノズルのノズル吐出率と比べて、ノズル列の最も端に位置する端ノズルのノズル吐出率が最も高い画像処理装置である。【００４８】
態様１７は、態様１から態様７のいずれか一態様の画像処理装置において、複数色は、イエローを含み、イエローのインクを吐出する各ノズルのノズル吐出率は、他の色のインクを吐出する各ノズルのノズル吐出率と比べて、端部ノズルのノズル吐出率と中央部ノズルのノズル吐出率の差が最も小さい画像処理装置である。【００４９】
態様１８は、態様１から７のいずれか一態様の画像処理装置において、複数色は、イエローを含み、イエローの画像データに適用されるディザマスクは、イエローのインクを吐出する各ノズルのノズル吐出率が一定である均一なノズル吐出率を実現するディザマスクである画像処理装置である。【００５０】
態様１９は、態様１から態様１８のいずれか一態様の画像処理装置において、第１のノズル吐出率を実現するディザマスクと第２のノズル吐出率を実現するディザマスクを含む複数種類のディザマスクを記憶しておくディザマスク記憶部と、ハーフトーン処理の対象とする画像データの色種に応じて、複数種類のディザマスクの中からハーフトーン処理に用いるディザマスクを選択するディザマスク選択部と、を備える画像処理装置である。【００５１】
態様２０は、態様１から態様１８のいずれか一態様の画像処理装置において、ハーフトーン処理部は、第１の色の画像データに対して、第１のノズル吐出率を実現する第１のディザマスクを用いてハーフトーン処理を行う第１のハーフトーン処理部と、第２の色の画像データに対して、第２のノズル吐出率を実現する第２のディザマスクを用いてハーフトーン処理を行う第２のハーフトーン処理部と、を含む画像処理装置である。【００５２】
態様２１に係る画像処理方法は、複数色のインクの色ごとに、それぞれのインクを吐出する複数のノズルが副走査方向に配列されたノズル列を有する記録ヘッドを記録媒体に対して副走査方向と直交する主走査方向及び副走査方向に相対移動させながら記録媒体に画像を記録するための色ごとのドットの配置パターンを表すドットデータを生成する画像処理方法であって、複数色のうちの第１の色の画像データに対して、少なくとも一部の記録デューティの範囲について、ノズル列の両端部にそれぞれ位置する端部ノズルのノズル吐出率が、ノズル列の中央部に位置する中央部ノズルのノズル吐出率よりも低く抑えられた第１のノズル吐出率を実現するディザマスクを用いてハーフトーン処理を行い、かつ、複数色のうちの第１の色と異なる第２の色の画像データに対して、記録デューティの範囲について、第１のノズル吐出率と比べて、端部ノズルのノズル吐出率と中央部ノズルのノズル吐出率の差が小さい第２のノズル吐出率を実現するディザマスクを用いてハーフトーン処理を行うハーフトーン処理工程を備える。【００５３】
態様２１の画像処理方法について、態様２から態様２０にて特定した画像処理装置の特定事項と同様の事項を適宜組み合わせることができる。その場合、画像処理装置の発明において特定される処理や動作を担う手段としての処理部や機能部の要素は、これに対応する処理や動作の工程（ステップ）の要素として把握することができる。【００５４】
態様２２に係るディザマスクのセットは、複数色のインクの色ごとに、それぞれのインクを吐出する複数のノズルが副走査方向に配列されたノズル列を有する記録ヘッドを記録媒体に対して副走査方向と直交する主走査方向及び副走査方向に相対移動させながら記録媒体に画像を記録するための色ごとのドットの配置パターンを表すドットデータを生成するハーフトーン処理に用いるディザマスクのセットであって、複数色のうちの第１の色の画像データに対して用いられ、少なくとも一部の記録デューティの範囲について、ノズル列の両端部にそれぞれ位置する端部ノズルのノズル吐出率が、ノズル列の中央部に位置する中央部ノズルのノズル吐出率よりも低く抑えられた第１のノズル吐出率を実現するディザマスクと、複数色のうちの第１の色と異なる第２の色の画像データに対して用いられ、記録デューティの範囲について、第１のノズル吐出率と比べて、端部ノズルのノズル吐出率と中央部ノズルのノズル吐出率の差が小さい第２のノズル吐出率を実現するディザマスクと、を含む。【００５５】
「ディザマスクのセット」とは、２種類以上の複数種類のディザマスクの組み合わせを指す。態様２２のディザマスクのセットについて、態様２から態様２０にて特定した画像処理装置の特定事項と同様の事項を適宜組み合わせることができる。【００５６】
態様２３に係る画像記録装置は、複数色のインクの色ごとに、それぞれのインクを吐出する複数のノズルが副走査方向に配列されたノズル列を有する記録ヘッドと、複数色のうちの第１の色の画像データに対して、少なくとも一部の記録デューティの範囲について、ノズル列の両端部にそれぞれ位置する端部ノズルのノズル吐出率が、ノズル列の中央部に位置する中央部ノズルのノズル吐出率よりも低く抑えられた第１のノズル吐出率を実現するディザマスクを用いてハーフトーン処理を行い、かつ、複数色のうちの第１の色と異なる第２の色の画像データに対して、記録デューティの範囲について、第１のノズル吐出率と比べて、端部ノズルのノズル吐出率と中央部ノズルのノズル吐出率の差が小さい第２のノズル吐出率を実現するディザマスクを用いてハーフトーン処理を行うハーフトーン処理部と、ハーフトーン処理を経て得られた色ごとのドットの配置パターンを表すドットデータに基づいて、ノズルからのインクの吐出を制御し、かつ、記録ヘッドを記録媒体に対して副走査方向と直交する主走査方向に相対移動させながらノズルからインクを吐出して記録を行う主走査動作と、記録媒体を記録ヘッドに対して副走査方向に相対移動させる副走査動作とを繰り返して記録媒体に画像を記録させる制御を行う記録制御部と、を備える。【００５７】
態様２３の画像記録装置について、態様２から態様２０にて特定した画像処理装置の特定事項と同様の事項を適宜組み合わせることができる。
【発明の効果】
【００５８】
本発明によれば、主走査動作と副走査動作を繰り返して記録媒体に画像を記録する構成において、生産性を落とすことなく、バンディング（濃度ムラ）の発生及び色ムラの発生を抑制することができる。
【図面の簡単な説明】
【００５９】
【図１】図１は、インクジェット記録装置の構成例を示す外観斜視図である。
【図２】図２は、インクジェット記録装置の記録媒体搬送路を模式的に示す模式図である。
【図３】図３は、キャリッジ上に配置される記録ヘッド、仮硬化光源及び本硬化光源の配置形態の例を示す平面透視図である。
【図４】図４は、図３中の記録ヘッドの拡大図である。
【図５】図５は、インクジェット記録装置の構成を示すブロック図である。
【図６】図６は、マルチパス方式の画像記録方法の一例を説明するための説明図である。
【図７】図７は、ノズルごとに定められるノズル吐出率のデータの一例を示す図である。
【図８】図８は、ノズル数が５０個のノズル列を有する記録ヘッドの例を示す模式図である。
【図９】図９は、図８に示した記録ヘッドのノズル列を記号化して示した説明図である。
【図１０】図１０は、主走査方向の印刷パスを１回実施するごとに、副走査方向に２５画素ずつ相対移動させる間欠送りの様子を示す説明図である。
【図１１】図１１の左図は、各ラスタを記録する走査及びノズルの関係を示す説明図であり、図１１の右図は、ノズルパターンの一部を示す図表である。
【図１２】図１２は、図７のグラフＧ１に示されたノズル吐出率を図１１の右図に示されたノズルパターンに従って展開した吐出率パターンを示す図表である。
【図１３】図１３は、図１２に示す吐出率パターンを有する２色が重なる重畳確率パターンを示す図表である。
【図１４】図１４は、図７のグラフＧｕに示された均一なノズル吐出率の場合の吐出率パターンの例を示す図表である。
【図１５】図１５は、図１４に示した均一なノズル吐出率の場合の重畳確率パターンを示す図表である。
【図１６】図１６は、色Ａのドットの配置に対して、主走査方向に色Ｂのドットの配置を１画素ずらした場合の重畳確率パターンを示す図表である。
【図１７】図１７は、色Ａのドットの配置に対して、副走査方向に色Ｂのドットの配置を１画素ずらした場合の重畳確率パターンを示す図表である。
【図１８】図１８は、不均一なノズル吐出率である場合の副走査方向の各位置における単位面積あたりの平均の重畳確率を示すグラフである。
【図１９】図１９は、図７のグラフＧ１が示す不均一なノズル吐出率の場合の色Ａと色Ｂのドットの配置の具体例を示す図である。
【図２０】図２０は、図７のグラフＧｕが示す均一なノズル吐出率の場合の色Ａと色Ｂのドットの配置の具体例を示す図である。
【図２１】図２１は、本発明の実施形態に適用されるノズル吐出率の例を示すグラフである。
【図２２】図２２は、図２１のグラフＧ２に示されたノズル吐出率を図１１に示したノズルパターンに従って展開した吐出率パターンを示す図表である。
【図２３】図２３は、シアンとマゼンタの２色の重畳確率パターンの例を示す図表である。
【図２４】図２４は、シアンとマゼンタの２色のドット配置が主走査方向に１画素ずれた場合の重畳確率パターンの例を示す図表である。
【図２５】図２５は、シアンとマゼンタの２色のドット配置が副走査方向に１画素ずれた場合の重畳確率パターンの例を示す図表である。
【図２６】図２６は、図２１のグラフＧ２に示されたノズル吐出率を採用した場合の副走査方向の各位置における単位面積あたりの平均の重畳確率を示すグラフである。
【図２７】図２７は、２色のうち１色のノズルの吐出率が図２１のグラフＧ１に示されたノズル吐出率であり、他の１色のノズルの吐出率が図２１のグラフＧ２に示されたノズル吐出率である場合の重畳確率パターンの例を示す図表である。
【図２８】図２８は、２色のドット配置が主走査方向に１画素ずれた場合の重畳確率パターンの例を示す図表である。
【図２９】図２９は、２色のドット配置が副走査方向に１画素ずれた場合の重畳確率パターンの例を示す図表である。
【図３０】図３０は、副走査方向の各位置における単位面積あたりの平均の重畳確率を示すグラフである。
【図３１】図３１は、２色のノズル吐出率が共に図２１のグラフＧ２に示されたノズル吐出率である場合のドット配置の例を示す図である。
【図３２】図３２は、２色のうち１色のノズル吐出率が図２１のグラフＧ１に示されたノズル吐出率であり、他の１色のノズル吐出率が図２１のグラフＧ２に示されたノズル吐出率である場合のドット配置の例を示す図である。
【図３３】図３３は、本発明の実施形態に係る画像処理装置の機能を示すブロック図である。
【図３４】図３４は、画像処理装置の処理の流れを示すフローチャートである。
【図３５】図３５は、ハーフトーン処理工程（図３４のステップＳ１０６）における処理の内容を示すフローチャートである。
【図３６】図３６は、ディザマスク生成方法の手順の例を示すフローチャートである。
【図３７】図３７は、昇順の閾値設定工程（図３６のステップＳ３）に適用される昇順の閾値設定処理の例を示すフローチャートである。
【図３８】図３８は、段階数が２段階である場合の各段階のノズル吐出率の例を示すグラフである。
【図３９】図３９は、ドット優先画素の配置の例を示した図である。
【図４０】図４０は、段階数が２段階である場合の各段階のノズル吐出率の他の例を示すグラフである。
【図４１】図４１は、ディザマスク生成装置の機能を示すブロック図である。
【図４２】図４２は、画像処理装置の他の構成例を示すブロック図である。
【発明を実施するための形態】
【００６０】
以下、添付図面に従って本発明の好ましい実施の形態について詳説する。
【００６１】
《インクジェット記録装置の構成例》
図１は、インクジェット記録装置の構成例を示す外観斜視図である。インクジェット記録装置１０は、シリアル式インクジェットプリンタの一例であり、紫外線硬化型インクを用いて記録媒体１２にカラー画像を記録するワイドフォーマットプリンタである。
【００６２】
インクジェット記録装置１０は、装置本体２０と、装置本体２０を支持する支持脚２２とを備えている。装置本体２０には、記録ヘッド２４と、プラテン２６と、ガイド機構２８と、キャリッジ３０とが設けられている。
【００６３】
記録ヘッド２４は、記録媒体１２に向けてインクを吐出するドロップオンデマンド型のインクジェットヘッドである。「記録ヘッド」という用語は、印刷ヘッド、印字ヘッド、プリントヘッド、描画ヘッド、インク吐出ヘッド、液体吐出ヘッド、液滴吐出ヘッド、又は、液滴噴射ヘッドなどの用語と同義である。また、「インクジェット記録装置」という用語は、インクジェット印刷装置、インクジェット印刷機、インクジェットプリンタ、又は、インクジェット式画像形成装置などの用語と同義である。「記録」は、印刷、印字、プリント、描画、又は、画像形成の意味を包括する用語として用いる。
【００６４】
記録媒体１２には、紙、不織布、塩化ビニル、合成化学繊維、ポリエチレン、ポリエステル、又はターポリンなど材質を問わず、様々な媒体を用いることができる。記録媒体１２は、浸透性媒体であってもよいし、非浸透性媒体であってもよい。「記録媒体」という用語は、インクが付着される媒体の総称であり、印字媒体、被記録媒体、被画像形成媒体、受像媒体、被吐出媒体、プリントメディア、記録用紙、又は、印刷用紙など様々な用語で呼ばれるものが含まれる。なお、本明細書で「用紙」という用語は、「記録媒体」と同義の意味で用いる。
【００６５】
プラテン２６は、記録媒体１２を支持する部材である。ガイド機構２８及びキャリッジ３０は、記録ヘッド２４を移動可能に支持するヘッド移動手段として機能する。ガイド機構２８は、プラテン２６の上方において、記録媒体１２の搬送方向と交差する方向であって、かつプラテン２６の媒体支持面と平行な方向であるヘッド走査方向に沿って延在して配置されている。プラテン２６の上方とは、重力方向を「下方」として、プラテン２６よりも上側の高い位置であることを意味する。記録媒体１２の搬送方向を「用紙送り方向」と呼ぶ場合がある。また、用紙送り方向と直交する方向であって、かつ記録媒体１２の記録面に平行な方向を「用紙幅方向」と呼ぶ場合がある。
【００６６】
キャリッジ３０は、ガイド機構２８に沿って用紙幅方向に往復移動可能に支持されている。キャリッジ３０の往復移動方向と平行な方向が「主走査方向」に相当する。また、記録媒体１２の搬送方向と平行な方向が「副走査方向」に相当する。つまり、用紙幅方向が主走査方向、用紙送り方向が副走査方向である。図１において、副走査方向をＸ方向と表記し、主走査方向をＹ方向と表記している。
【００６７】
キャリッジ３０には、記録ヘッド２４と、仮硬化光源３２Ａ，３２Ｂと、本硬化光源３４Ａ，３４Ｂとが搭載されている。記録ヘッド２４と、仮硬化光源３２Ａ，３２Ｂと、本硬化光源３４Ａ，３４Ｂとは、ガイド機構２８に沿ってキャリッジ３０と共に一体的に移動する。キャリッジ３０をガイド機構２８に沿って主走査方向に往復移動させることにより、記録ヘッド２４を記録媒体１２に対して主走査方向に相対移動可能である。
【００６８】
仮硬化光源３２Ａ，３２Ｂは、記録媒体１２上に着弾したインクを仮硬化させるための紫外線を照射する。仮硬化とは、打滴直後のインク滴の移動や変形を阻止する程度に、インクを部分的に硬化させることをいう。仮硬化の工程は、「部分硬化」、「半硬化」、「ピニング（pinning）」或いは「セット（set）」などと呼ばれる場合がある。本明細書では「仮硬化」という用語を用いる。
【００６９】
一方、仮硬化後に、さらなる紫外線照射を行い、インクを十分に硬化させる工程は「本硬化」或いは「キュアリング（curing）」と呼ばれる。本明細書では、「本硬化」という用語を用いる。本硬化光源３４Ａ，３４Ｂは、仮硬化後に追加露光を行い、最終的にインクを本硬化させるための紫外線を照射する光源である。
【００７０】
装置本体２０には、インクカートリッジ３６を取り付けるための取り付け部３８が設けられている。インクカートリッジ３６は、紫外線硬化型インクを貯留する交換自在なインクタンクである。インクカートリッジ３６は、インクジェット記録装置１０で使用される各色のインクに対応して設けられている。本例のインクジェット記録装置１０は、シアン（Ｃ）、マゼンタ（Ｍ）、イエロー（Ｙ）、及びブラック（Ｋ）の４色のインクを用いる構成である。色別の各インクカートリッジ３６は、それぞれ独立に形成された不図示のインク供給経路によって記録ヘッド２４に接続される。各色のインク残量が少なくなった場合にインクカートリッジ３６の交換が行われる。
【００７１】
なお、図示を省略するが、装置本体２０の正面に向かって右側には、記録ヘッド２４のメンテナンス部が設けられている。メンテナンス部は、非印字時における記録ヘッド２４の保湿やノズル吸引のためのキャップと、記録ヘッド２４のインク吐出面であるノズル面を清掃するための払拭部材が設けられている。払拭部材には、ブレード及び／又はウエブを用いることができる。
【００７２】
〈記録媒体搬送路の構成〉
図２は、インクジェット記録装置１０の記録媒体搬送路を模式的に示す模式図である。図２に示すように、プラテン２６は、その上面が記録媒体１２の支持面となる。プラテン２６の位置に対して、用紙送り方向の上流側にニップローラ４０が配設されている。
【００７３】
本例の記録媒体１２は、ロール状に巻かれた連続用紙の形態で供給される。供給側のロール４２から送り出された記録媒体１２は、ニップローラ４０によって搬送される。記録ヘッド２４の直下に到達した記録媒体１２に対して、記録ヘッド２４により画像が記録される。記録ヘッド２４の位置よりも用紙送り方向の下流側には、画像記録後の記録媒体１２を巻き取る巻取ロール４４が設けられている。また、プラテン２６と巻取ロール４４との間の記録媒体１２の搬送路にはガイド４６が設けられている。
【００７４】
本実施形態のインクジェット記録装置１０では、供給側のロール４２から送り出された記録媒体１２がプラテン２６を経由して巻取ロール４４に巻き取られるロール・ツー・ロール方式の用紙搬送手段が採用されている。ただし、発明の実施に際して、用紙搬送手段の構成はこの例に限らない。例えば、巻取ロール４４を省略した形態や、記録媒体１２を所望のサイズに切断するカッターを備える形態なども可能である。また、記録媒体１２は、連続用紙に限らず、１枚ずつ分離されたカット紙、つまり、枚葉紙の形態であってもよい。
【００７５】
プラテン２６の裏面側、すなわち、プラテン２６における記録媒体１２を支持する媒体支持面と反対側には、画像記録中の記録媒体１２の温度を調整する温調部５０が設けられている。この温調部５０による温度調整により、記録媒体１２に着弾したインクの粘度や、表面張力等の物性値が所望の値になり、所望のドット径を得ることが可能となる。また、温調部５０の用紙送り方向の上流側にプレ温調部５２が設けられ、温調部５０の用紙送り方向の下流側にアフター温調部５４が設けられている。なお、プレ温調部５２及び／又はアフター温調部５４を省略する構成も可能である。
【００７６】
〈記録ヘッドの構成例〉
図３は、キャリッジ３０上に配置される記録ヘッド２４と仮硬化光源３２Ａ，３２Ｂと本硬化光源３４Ａ，３４Ｂとの配置形態の例を示す平面透視図である。図４は、図３中の記録ヘッド２４の拡大図である。
【００７７】
図３及び図４に示すように、記録ヘッド２４には、シアン（Ｃ）、マゼンタ（Ｍ）、イエロー（Ｙ）、ブラック（Ｋ）の各色のインクごとに、それぞれ色のインクを吐出するためのノズル６２（図４参照）が副走査方向に配列されてなるノズル列６１Ｃ，６１Ｍ，６１Ｙ，６１Ｋが設けられている。
【００７８】
図３ではノズル列を点線により示し、ノズルの個別の図示は省略している。図３に示した記録ヘッド２４では、図３の左からイエローのノズル列６１Ｙ、マゼンタのノズル列６１Ｍ、シアンのノズル列６１Ｃ、ブラックのノズル列６１Ｋの順で各ノズル列が配置されている例を示しているが、インク色の種類（色数）や色の組み合わせについては本実施形態に限定されない。
【００７９】
例えば、ＣＭＹＫの４色に加えて、ライトシアンやライトマゼンタなどの淡インクを用いる構成、或いは、淡インクに代えて又はこれと組み合わせて、更に他の特別色のインクを用いる構成も可能である。使用されるインク色の種類に対応して、該当するインクを吐出するノズル列を追加する形態とすることが可能である。また、色別のノズル列の配置順序については、特に限定はない。ただし、複数のインク種のうち、紫外線に対する硬化感度が相対的に低いインクのノズル列を仮硬化光源３２Ａ又は３２Ｂに近い側に配置する構成が好ましい。
【００８０】
本実施形態では、色別のノズル列６１Ｃ，６１Ｍ，６１Ｙ，６１Ｋごとにヘッドモジュールを構成し、これらを並べることによって記録ヘッド２４を構成している。具体的には、イエローインクを吐出するノズル列６１Ｙを有するヘッドモジュール２４Ｙと、マゼンタインクを吐出するノズル列６１Ｍを有するヘッドモジュール２４Ｍと、シアンインクを吐出するノズル列６１Ｃを有するヘッドモジュール２４Ｃと、ブラックインクを吐出するノズル列６１Ｋを有するヘッドモジュール２４Ｋと、をキャリッジ３０の往復移動方向に沿って並ぶように等間隔に配置している。キャリッジ３０の往復移動方向が主走査方向である。
【００８１】
色別のヘッドモジュール２４Ｙ，２４Ｍ，２４Ｃ，２４Ｋのモジュール群の全体を「記録ヘッド」と解釈してもよいし、各ヘッドモジュールをそれぞれ「記録ヘッド」と解釈することも可能である。また、色別のヘッドモジュール２４Ｙ，２４Ｍ，２４Ｃ，２４Ｋを組み合わせる構成に代えて、一つの記録ヘッドの内部で色別にインク流路を分けて形成し、１ヘッドで複数色のインクを吐出するノズル列を備える構成も可能である。
【００８２】
図４に示したように、ノズル列６１Ｃ，６１Ｍ，６１Ｙ，６１Ｋのそれぞれは、複数個のノズル６２が副走査方向に一定の間隔で並んで配列されたものとなっている。図４では、色別のノズル列６１Ｃ，６１Ｍ，６１Ｙ，６１Ｋにそれぞれ５０個のノズル６２が配列されている例が示されている。各ノズル６２にはノズル番号０〜４９が付与されている。
【００８３】
本例のノズル番号は、ノズル列における副走査方向の一端側から他端側に向かって順番に連続番号により各ノズル６２に付与されている。本例では、ノズル番号を０番から開始しているが、ノズル番号の先頭番号は１番でもよい。先頭番号は０以上の任意の整数とすることができる。ノズル番号は、各ノズル６２の位置を表す識別番号として用いることができる。
【００８４】
また、本例では５０個のノズル６２が副走査方向に沿って一列に並んだノズル列を示したが、ノズル列を構成するノズル数並びにノズルの配置形態はこの例に限らない。例えば、複数列のノズル列を組み合わせた二次元ノズル配列により、副走査方向に等間隔でノズルが並ぶノズル列を形成することが可能である。
【００８５】
記録ヘッド２４のインク吐出方式としては、圧電素子の変形によってインクを飛ばすピエゾジェット方式が採用されている。吐出エネルギー発生素子として、圧電素子に代えて、静電アクチュエータを用いる構成も可能である。また、ヒータなどの発熱体（加熱素子）を用いてインクを加熱して気泡を発生させ、その圧力でインク滴を飛ばすサーマルジェット方式を採用することも可能である。ただし、紫外線硬化型インクは、一般に溶剤インクと比べて高粘度であるため、紫外線硬化型インクを使用する場合には、吐出力が比較的大きなピエゾジェット方式を採用することが好ましい。
【００８６】
記録ヘッド２４は、主走査方向に移動しながら記録媒体１２に対してインクを吐出して、記録媒体１２の副走査方向に一定長さを有する領域に画像記録を行う。そして、この画像記録後に記録媒体１２が副走査方向に一定量移動されると、記録ヘッド２４は、次の領域に同様の画像記録を行い、以下、記録媒体１２が副走査方向に一定量移動される毎に同様の画像記録を繰り返し行って記録媒体１２の記録領域の全面にわたって画像記録を行うことができる。
【００８７】
このように、記録ヘッド２４はシリアル方式の記録ヘッドである。本実施形態のインクジェット記録装置１０（図１参照）は、複数回の主走査方向への記録ヘッド２４の走査により、所定の記録解像度を実現するマルチパス方式を採用している。
【００８８】
〈インクジェット記録装置の制御系の構成〉
図５は、インクジェット記録装置１０の構成を示すブロック図である。図５に示すように、インクジェット記録装置１０は制御装置１０２を備える。制御装置１０２として、例えば、中央演算処理装置（ＣＰＵ：central processing unit）を備えたコンピュータを用いることができる。制御装置１０２は、情報記憶部１２４から読み出した各種プログラムを実行することにより、インクジェット記録装置１０の全体を統括制御する。
【００８９】
制御装置１０２には、記録媒体搬送制御部１０４と、キャリッジ駆動制御部１０６と、光源制御部１０８と、画像処理部１１０と、吐出制御部１１２と、が含まれる。これらの各部は、ハードウェア又はソフトウェア、若しくはこれらの組み合わせによって実現することができる。「ソフトウェア」は、「プログラム」、又は「アプリケーション」と同義である。
【００９０】
記録媒体搬送制御部１０４は、記録媒体１２の搬送を行う搬送駆動部１１４を制御する。搬送駆動部１１４は、ニップローラ４０（図２参照）を駆動する駆動用モータ、及びその駆動回路が含まれる。プラテン２６上に搬送された記録媒体１２は、記録ヘッド２４による主走査方向の走査（印刷パスの動き）に合わせて、スワス幅単位で副走査方向へ間欠送りされる。なお、スワス幅とは、キャリッジ３０の往復移動によるスキャンの繰り返し周期によって決められる副走査方向の長さであり、ノズル列の副走査方向における長さであるノズル列長を、スキャンの繰り返し回数であるパス数で除算して求められる。スキャンの繰り返し回数であるパス数は、設定された記録解像度の描画を完成させるために必要な走査回数であり、作画モードによって定まる。
【００９１】
キャリッジ駆動制御部１０６は、キャリッジ３０を主走査方向に移動させる主走査駆動部１１６を制御する。主走査駆動部１１６は、キャリッジ３０の移動機構に連結される駆動用モータ、及びその制御回路が含まれる。
【００９２】
前述の主走査駆動部１１６の駆動用モータ及び搬送駆動部１１４の駆動用モータには、エンコーダ１３０が取り付けられている。エンコーダ１３０は、各駆動モータの回転量及び回転速度に応じたパルス信号を制御装置１０２に入力する。これにより、制御装置１０２は、エンコーダ１３０から入力されるパルス信号に基づいて、キャリッジ３０の位置及び記録媒体１２の位置を把握することができる。
【００９３】
光源制御部１０８は、光源駆動回路１１８を介して仮硬化光源３２Ａ，３２Ｂの発光を制御し、かつ光源駆動回路１１９を介して本硬化光源３４Ａ，３４Ｂの発光を制御する。
【００９４】
画像処理部１１０は、画像入力インターフェース１２６を介して入力された画像データに画像処理を施して、印刷用のドットデータに変換する。図５では表記の簡略化のために、インターフェースという記載に代わる代替表記として、「ＩＦ」という簡易表記を用いている。ＩＦは、「interface」の略語表記である。
【００９５】
画像処理部１１０は、ディザ法によるハーフトーン処理を実施するハーフトーン処理部として機能する。すなわち、画像処理部１１０は、入力された画像データである連続調画像に対して、ディザマスクを用いて画素値の量子化処理を行い、印刷用のドットデータに対応するハーフトーン画像を生成する。ドットデータは、ドットの配置を示すデータである。
【００９６】
画像処理部１１０のハーフトーン処理に用いられるディザマスクの生成方法については後述する。
【００９７】
吐出制御部１１２は、画像処理部１１０において生成されたドットデータに基づいて、記録ヘッド２４を駆動するヘッド駆動回路１２８を制御することにより、記録ヘッド２４の各ノズル６２からのインクの吐出を制御する。制御装置１０２は、記録制御部の一形態である。画像処理部１１０がハーフトーン処理を行うステップは、ハーフトーン処理工程の一例に相当する。
【００９８】
情報記憶部１２４は、例えば不揮発性メモリが用いられており、制御装置１０２の制御に必要な各種プログラムや各種データを格納している。例えば、情報記憶部１２４は、プログラムとして、制御装置１０２の各部が実行する制御プログラム、及び走査パターンプログラムなどを格納している。走査パターンプログラムは、マルチパス方式の画像記録用のプログラムであり、副走査方向に間欠搬送される記録媒体１２に対する記録ヘッド２４の主走査方向の往復走査（印刷パスの動き）やパス数（スキャンの繰り返し回数）を規定する。主走査方向への記録ヘッド２４の移動を伴う印刷パスの動きには、ドット形成時の記録ヘッド２４の移動方向、インクを吐出させるノズルの選択、及び、吐出タイミングの少なくとも一つが含まれる。印刷パスの動きとパス数の組み合わせによって定まる走査のパターンを「走査パターン」と呼ぶ。
【００９９】
制御装置１０２には、入力装置１２２及び表示装置１２０が接続されている。入力装置１２２には、例えば、キーボード、マウス、タッチパネル、又は操作ボタンなど、各種の手段を採用することができ、これらの適宜の組み合わせであってもよい。入力装置１２２は、ユーザであるオペレータの手動による外部操作信号を制御装置１０２へ入力する。
【０１００】
表示装置１２０には、液晶ディスプレイなどが用いられる。オペレータは、入力装置１２２を使って各種情報の入力を行うことができる。また、オペレータは、入力内容その他の各種情報やシステムの状態等を表示装置１２０における表示を通じて確認することができる。
【０１０１】
センサ１３２は、キャリッジ３０に取り付けられている。制御装置１０２は、センサ１３２から入力されるセンサ信号に基づいて記録媒体１２の幅を把握することができる。
【０１０２】
〈マルチパス方式の画像記録方法の説明〉
図６は、マルチパス方式の画像記録方法の一例を説明するための説明図である。ここでは、説明を簡単にするために、記録ヘッド２４の構成を単純化し、記録ヘッド２４のノズル列は一列のみとし、一列のノズル列６１で記録する場合を例に説明する。ノズル列６１は、図４で説明したノズル列６１Ｃ，６１Ｍ，６１Ｙ，６１Ｋのいずれか一列を代表して表したものと理解することができる。
【０１０３】
また、記録媒体を副走査方向へ間欠送りする構成について、図示の便宜上、図６では記録媒体を停止させ、記録ヘッド２４を副走査方向に間欠移動させるように図示している。なお、図６では記録媒体の図示を省略し、記録ヘッド２４の動きのみを示した。
【０１０４】
図６に示すように、記録ヘッド２４が主走査方向（図６における左右方向）に移動している時にノズル６２からインクの吐出が行われる。主走査方向に沿った記録ヘッド２４の往復移動と、副走査方向（図６の縦方向）への記録媒体の間欠送りとの組み合わせによって、記録媒体上に二次元の画像記録が行われる。「画像記録」という用語は、描画、作画、印刷、又は画像形成という用語に置き換えてもよい。
【０１０５】
記録ヘッド２４が主走査方向に移動しつつ、ノズル６２からインクの吐出を行ってドットの記録を行う主走査動作には、主走査方向の往路パスで行う走査と、復路パスで行う走査とがありうる。往路及び復路の両方向の走査によって画像を記録してもよいし、往路又は復路のいずれか一方向のみの走査によって画像を記録してもよい。なお、往路及び復路の両方向の走査を行う場合、１往復の走査は、往路走査と復路走査の２回の走査が実施されると数える。
【０１０６】
Ｎを自然数として、Ｎ回のスキャンで所望の記録解像度の画像を完成させる場合、（Ｎ＋１）走査目の記録媒体と記録ヘッド２４との相対的な位置関係（ここでは、副走査方向の位置関係）は、図６に示すような関係になる。つまり、Ｎ回書きで所望の記録解像度の画像記録を行うために、１回目、２回目、３回目、・・・と副走査方向に記録媒体を間欠送りし、ちょうど（Ｎ＋１）回目にノズル列の長さ分に対応した位置に繋がるような位置関係とされる。Ｎ回書きの動作がシームレスに繋がるためには、１走査目の副走査方向位置から「ノズル列長＋１ノズルピッチ」分だけ副走査方向に移動して（Ｎ＋１）走査目が行われる。「ノズル列長さ」とは、ノズル６２が副走査方向に並んで配列されたノズル列６１の副走査方向の長さであり、ノズル列の両端に位置するノズルのノズル間距離に相当する。「ノズルピッチ」とはノズル列における副走査方向のノズル間隔である。
【０１０７】
《吐出率について》
ここで「吐出率」について説明する。ノズルの吐出率には、絶対的な吐出率と、相対的な吐出率とがある。ノズル絶対吐出率とは、記録ヘッドにおける複数のノズルのそれぞれが記録を担当する画素としてノズルごとに割り当てられる記録担当画素のうち、それぞれのノズルがインクを吐出してドットを記録する記録画素の割合を示す値である。
【０１０８】
ノズル絶対吐出率はノズルごとに定められる。ノズル絶対吐出率は、ノズルごとに割り当てられた記録担当画素の数を分母とし、各ノズルがインクを吐出してドットを記録する記録画素の数を分子とする割り算の商で表され、０以上１以下の数値で表すことができる。また、ノズル絶対吐出率は、百分率で表すことも可能である。ノズル絶対吐出率は、記録デューティが増すと共に増加し、記録デューティ１００％で最大値の「１．０」又は「１００％」となる。
【０１０９】
「記録デューティ」とは、記録媒体に記録される画像の各画素の中でドットオン（ドットＯＮ）となる画素の割合をいう。記録デューティは、印字デューティ、インクデューティ、印字率、又は記録率などの用語で呼ばれる場合があり、若しくは、単に、デューティと呼ばれる場合がある。本明細書では以後「デューティ」と表記する。
【０１１０】
要するに、ノズル絶対吐出率は、ノズルごとのインクを吐出する割合を示している。ノズルごとのインクを吐出する割合は、ノズルごとの記録画素の割合と同等である。ノズル絶対吐出率は、ノズルを使用する割合と理解でき、ノズル使用率、或いはノズル稼働率と見做すことができる。
【０１１１】
ノズル絶対吐出率は、具体的には、最大濃度の均一階調画像であるベタパターンの記録を行う際のノズルごとの使用率を基準値である「１．０」又は「１００％」とした場合の、ノズルごとの使用率を表したものである。ノズルごとの使用率は、ノズルごとのインク吐出量と置き換えてもよいし、ノズルごとの記録画素の画素数と置き換えてもよい。
【０１１２】
これに対し、各ノズルの相対的な使用比率をノズル吐出率と呼ぶ。ノズル吐出率は、ノズル絶対吐出率の制御目標となる。ノズル吐出率は、各ノズルのノズル絶対吐出率の相対的な比率を表す相対吐出率である。ノズル吐出率は、各ノズルのノズル絶対吐出率のノズル間における相対的な比率に意味があり、ノズル吐出率の数値自体の絶対値や最大値は、特に物理量としての意味はない。各ノズルのノズル吐出率の絶対値は、全ノズルのノズル吐出率の総和を１に規格化してもよいし、最大値を１又は「１００％」に規格化してもよい。本実施形態では、便宜上、最大吐出（最大の使用率）のノズル絶対吐出率を「１.０」として、この最大値に対する比率によってノズル吐出率を表すことにする。本実施形態では、ノズル吐出率の値を「０から１」の範囲の数値で表示する。以後、単に「吐出率」という場合には、各ノズルの相対的な使用比率を表すノズル吐出率を指す。
【０１１３】
本実施形態にて用いるディザマスクの生成に際しては、制御目標としての各ノズルの吐出率を定め、デューティの増加と共に、各ノズルの吐出率（相対的な比率）を概ね保ったまま、ノズル絶対吐出率を増していくように、ディザマスクの各画素の閾値が設定される。
【０１１４】
図７は、ノズルごとに定められるノズル吐出率のデータの一例を示す図である。図７において、横軸はノズル番号、縦軸は各ノズル番号のノズルに対応付けられたノズル吐出率を示している。図７は、最大吐出のノズルの吐出率を「１．０」として、それに対する各ノズルの相対的な比率を示している。
【０１１５】
図７中の実線で示された台形型のグラフＧ１は、バンディングを抑制するために、ノズル列の端部に属するノズル群（例えば、ノズル番号０から１２のノズル群と、ノズル番号３７から４９のノズル群）の吐出率を、ノズル列の中央部に属するノズル群（ノズル番号１３から３６のノズル群）の吐出率よりも低い値に設定したノズル吐出率の例である。
【０１１６】
図中の点線で示された直線のグラフＧｕは、グラフＧ１と同じデューティでの均一な吐出率を示す。図７の例では、デューティが７２％を想定している。グラフＧｕは、グラフＧ１との比較のために示した。
【０１１７】
グラフＧｕに例示したように、ノズル列内の各ノズルのノズル吐出率が一定である場合を「均一なノズル吐出率」という。これに対し、グラフＧ１に例示したように、ノズル列内の各ノズルの吐出率が一定でない場合、特に、ノズル列における両端部のノズル群のノズル吐出率が中央部のノズル群のノズル吐出率よりも抑制され、ノズル列内のノズル吐出率が不均一である場合を「不均一なノズル吐出率」という。
【０１１８】
ノズル列の両端部にそれぞれ位置するノズルを端部ノズルといい、特に、ノズル列の最も端に位置するノズルを端ノズルという。ノズル列の中央部に位置するノズルを中央部ノズルという。
【０１１９】
《課題の説明》
発明が解決しようとする課題について、具体な例を示して説明する。ここでは、説明を簡単にするために、インクジェット記録装置の記録解像度が主走査方向６００ｄｐｉ、かつ副走査方向６００ｄｐｉであるとして、記録ヘッドにおける副走査方向のノズル配列密度が３００ｎｐｉ、ノズル数が５０個、間欠紙送り動作の紙送り量が２５画素／６００ｄｐｉであり、主走査方向のパス数が「２パス」である場合を例に説明する。
【０１２０】
ｄｐｉ（dot per inch)は、１インチ当りのドット数を表す単位である。ｎｐｉ（nozzle per inch)は、１インチ当りのノズル数を表す単位である。１インチは約２５．４ミリメートルである。
【０１２１】
紙送り量とは、１回の主走査につき、用紙が副走査方向に搬送される量をいう。用紙に対する記録ヘッドの相対的な副走査方向の移動として捉えると、紙送り量は、１回の主走査につき、記録ヘッドが用紙に対して副走査方向に相対的に移動する量と理解することができる。紙送り量は、副走査方向のラスタ数で表される。ラスタ数は、画素数と言い換えてもよい。紙送り量は、副走査動作の１回あたりの副走査移動量に相当する。
【０１２２】
紙送り量の単位を表す「画素／６００ｄｐｉ」の表記は、６００ｄｐｉの記録解像度における１画素のサイズを表しており、１画素／６００ｄｐｉは、約４２．３マイクロメートル［μｍ］である。
【０１２３】
主走査方向のパス数は、主走査方向に形成する１本のラスタをドットですべて埋めるために必要な主走査の回数のことをいう。主走査方向のパス数は、「オーバーラップ数」と同義である。オーバーラップ数が「2」とは、２回の主走査で、主走査方向の１本のラスタが完成することを意味する。
【０１２４】
図８は、ノズル数が５０個のノズル列を有する記録ヘッドの例を示す模式図である。図８に示すように、記録ヘッド２４Ａは５０個のノズル６２が副走査方向に等間隔で一列に並んだノズル列６１Ａを有する。記録ヘッド２４Ａは、図４で説明したヘッドモジュール２４Ｃ，２４Ｍ，２４Ｙ，２４Ｋのいずれか１つを代表して表したものに相当する。
【０１２５】
ノズル列６１Ａの一方の端である図８の上端のノズル６２から、他方の端である図８の下端に向かって、各ノズル６２に対して順番に、それぞれ固有のノズル番号０、１、２…４９が付与されている。ノズル列６１Ａのノズル配列密度は、様々な設計が可能であるが、ここでは、例えば、副走査方向に３００ｎｐｉであるとする。
【０１２６】
記録ヘッド２４Ａのノズル配列密度３００ｎｐｉは、ドットの記録密度、つまり記録解像度でいうと３００ｄｐｉに相当する。「ｎｐｉ」は「ｄｐｉ」と言い換えることができる。
【０１２７】
本例において、印刷の際に想定している記録解像度が主走査方向６００ｄｐｉ、かつ副走査方向６００ｄｐｉであることから、３００ｎｐｉのノズル列６１Ａのノズルピッチは、６００ｄｐｉの画素のサイズを単位として、２画素分に相当している。
【０１２８】
図９は、図８に示した記録ヘッドのノズル列を記号化して示した説明図である。ノズル列６１Ａを構成している各ノズル６２の位置と画素の関係を分かり易く図示するために、ノズル列の記載に関して、図９に示すような、記載方法を導入する。
【０１２９】
図９では、ノズル列６１Ａが画素単位のセルに区分けされており、セル内にノズル番号を示す数字０〜４９が記載してある。ノズル番号が付されたセルの位置がノズルの位置を表している。つまり、図９に示すノズル列６１Ａの記載は、図８に示した記録ヘッド２４Ａの記載に代わるものである。
【０１３０】
図１０は、主走査方向の印刷パスを１回実施するごとに、副走査方向に２５画素ずつ相対移動させる間欠送りの様子を示している。図１０では、図示の便宜上、停止した記録媒体に対して、記録ヘッド２４Ａを副走査方向に移動させたものとして描いている。図１０に示す作画方法では、主走査方向の打滴点ラインである主走査ラインは２パスで６００ｄｐｉの記録が完成し、副走査方向の打滴点ラインである副走査ラインは２パスで６００ｄｐｉの記録が完成する。
【０１３１】
主走査ラインは「ラスタ」と同義である。「ラスタ」とは、主走査方向の走査線を意味し、主走査方向に並ぶ画素の列を指す。１パスごとの副走査方向の紙送り量は、２５画素、つまり、２５ラスタ分となっている。本例の場合、４回の走査による記録を繰り返しの単位として６００×６００ｄｐｉの記録が行われる。
【０１３２】
図１１の左図は、各ラスタを記録する走査及びノズルの関係を示す説明図である。図１１の左図には、２５ラスタ分の範囲が示されている。図１１の右図は、ノズルパターンの例である。ノズルパターンとは、ある画像領域内の各画素の位置と、各画素を記録するノズルのノズル番号との対応関係を示すノズル番号の配列パターンである。ノズルパターンは、画素とノズル番号の関係を特定した関係図に相当する図表であってよい。つまり、ノズルパターンは、「各画素をどのノズルで記録するか」を示す情報である。
【０１３３】
本例のノズルパターンは、主走査方向に２画素×副走査方向に１００画素（＝２５画素×４）の「２×１００画素」の繰り返し最小単位が主走査方向及び副走査方向に繰り返す周期性を持つ。このようなノズルパターンの周期性は、所定画素範囲の単位領域をドットで埋める順序である「埋め順」の繰り返しと関連しており、主走査方向では、オーバーラップ数を単位として繰り返しが生じ、副走査方向では、紙送り量と埋め順の繰り返し単位数との積を単位として繰り返しが生じる。埋め順の繰り返し単位数は、ノズルピッチとオーバーラップ数との積である。
【０１３４】
単位領域のサイズは、主走査方向がオーバーラップ数に一致し、副走査方向がノズルピッチに一致する。オーバーラップ数が「2」、かつ、ノズルピッチが「2」である本例の場合、単位領域は２×２の画素範囲である。単位領域の面積を「単位面積」という。単位面積とは、主走査方向にはオーバーラップ数、副走査方向にはノズルピッチに相当する画素数から成る単位領域の面積を示す。つまり、単位面積は、「オーバーラップ数×ノズルピッチ」の画素範囲から成る単位領域の面積である。本例の場合、単位面積が２×２＝４回の走査で埋められる。
【０１３５】
図１１の右図に示したノズルパターンは、図１１の左図に示した２５ラスタ分の上から１０ラスタの範囲に対応する位置の１０×１０画素分の範囲を示している。例えば、図１１の右図においてノズル番号２５が記入された画素は、ノズル番号２５のノズルが記録を担当する画素であり、ノズル番号２５のノズルの記録担当画素を示している。すなわち、ノズルパターンは、ノズル番号ごとの記録担当画素を示している。
【０１３６】
図１２は、吐出率パターンの例である。吐出率パターンとは、各画素を記録するノズルのノズル吐出率を画素ごとに特定した対応関係を示すノズル吐出率の配列パターンである。吐出率パターンは、画素とノズル吐出率の関係を特定した関係図に相当する図表であってよい。図１２に示した吐出率パターンは、図１１の右図に示したノズルパターンの各ノズル番号に対応するノズル吐出率を、図７のグラフＧ１から特定したものである。
【０１３７】
既述のとおり、本例の場合、ノズルパターン及び吐出率パターンは、副走査方向に１００画素の周期で繰り返し、かつ主走査方向に２画素の周期で繰り返す。
【０１３８】
〈色ムラが発生する現象の説明〉
例えば、シアン、マゼンタ、イエロー、ブラックの４色のインクを用いてカラー画像を記録し得るインクジェット記録装置の場合、これら複数色のインクの色ごとに、ノズル列を備える（図４参照）。
【０１３９】
ここで、互いに異なる色である色Ａと色Ｂの２色のドットの重なりを考察する。色Ａのドットの記録動作と色Ｂのドットの記録動作は、共に図１１に示すノズルパターン及び図１２に示す吐出率パターンを満たすものとする。
【０１４０】
なお、色Ａのノズルパターンと色Ｂのノズルパターンが異なる場合の例としては、色Ａのノズル列と、色Ｂのノズル列とが副走査方向に相対的にオフセットされている場合、若しくは、色Ａの主走査方向の記録順と色Ｂの主走査方向の記録順が異なる場合などあり得る。
【０１４１】
しかし、何れにせよ図７のグラフＧ１に示したような不均一なノズル吐出率に起因して、色Ａのドットの配置と色Ｂのドットの配置が偏る結果、同様に色ムラを生じる。したがって、ここでは色Ａのノズルパターンと色Ｂのノズルパターンが共に図１１に示す共通の構成であり、かつ、色Ａの吐出率パターンと色Ｂの吐出率パターンが共に図１２に示す共通の構成である場合のみに絞って、色ムラが発生する現象を説明する。
【０１４２】
色Ａと色Ｂの具体的な色の組み合わせについては、特に限定されない。色の組み合わせの一例として、色Ａがシアンであり、色Ｂがマゼンタであってよい。
【０１４３】
図１２に示した吐出率パターンは、各画素でドットＯＮとなる確率のパターンでもあり、ドットＯＮの確率が不均一に偏っていることを示している。色Ａのドットと色Ｂのドットが重なる確率は、ドットＯＮ確率の２乗、つまりノズル吐出率の２乗で表される。２色のドットが重なる確率を「重畳確率」という。各画素の重畳確率を画素ごとに特定した対応関係を示す重畳確率の配列パターンを「重畳確率パターン」という。重畳確率パターンは、画素と重畳確率の関係を特定した関係図に相当する図表であってよい。
【０１４４】
図１３に、重畳確率パターンの例を示す。図１３に示した重畳確率パターンは、図１２に示した吐出率パターンの各画素のノズル吐出率を２乗したものとなっている。図１２に示されているように、色Ａのノズル吐出率と色Ｂのノズル吐出率が共に不均一に偏ることにより、色Ａのドットと色Ｂのドットが重なる確率も不均一に偏ることが分かる（図１３参照）。図１３において、重畳確率が「0.00」の画素から「1.00」の画素まで、画像領域内に不均一に分布している。
【０１４５】
比較のために、図１４に、均一なノズル吐出率の場合の吐出率パターンの例を示し、図１５に、均一なノズル吐出率の場合の重畳確率パターンの例を示す。図１４は、図７の点線によって表示されたグラフＧｕに示した均一なノズル吐出率の場合の吐出率パターンである。
【０１４６】
図１５は、図７の点線によって表示されたグラフＧｕに例示した均一なノズル吐出率の場合の重畳確率パターンである。図１４に示した均一な吐出率パターンの場合の重畳確率パターンは、図１５に示すように、全画素について重畳確率が「0.52」である均一なパターンであることが分かる。
【０１４７】
これに対し、図１３に示した不均一な重畳確率パターンについて、重畳確率の平均値を計算すると「0.63」である。つまり、不均一なノズル吐出率の方が、均一なノズル吐出率の場合よりも色Ａのドットと色Ｂのドットの重なりが多い。これは、不均一なノズル吐出率の場合、ノズル吐出率が大きい画素におけるドットの重なりが多いためである。ノズル吐出率が大きくなると共に、ノズル吐出率の２乗でドットの重なりが多くなるため、平均の重畳確率も大きくなる。
【０１４８】
図１２においてノズル吐出率が「1.00」の画素では、色Ａのドットと色Ｂのドットが必ず重なることになる。そして、不均一なノズル吐出率の場合、色Ａのドットと色Ｂのドットの重なりが多くなるということは、同時に色Ａのドットと色Ｂのドットの配置が少しずれた場合には、逆に重なりが少なくなり易いことを意味する。なお、「重なりが少なくなり易い」といっても、必ずしも重なりが少なくなるわけではない。
【０１４９】
図１６は、色Ａのドットの配置に対して、主走査方向に色Ｂのドットの配置を１画素ずらした場合の重畳確率パターンを示す。また、図１７は、色Ａのドットの配置に対して、副走査方向に色Ｂのドットの配置を１画素ずらした場合の重畳確率パターンを示す。色Ａのドットの配置に対して、色Ｂのドットの配置が相対的に１画素ずれた場合の重畳確率は、吐出率パターンにおいて１画素ずれた位置関係の対応する画素のノズル吐出率同士の乗算により求められる。
【０１５０】
図１３と図１６の比較、若しくは、図１３と図１７の比較から明らかなように、色Ａのドットの配置に対して色Ｂのドットの配置を相対的に１画素ずらした場合の各画素の重畳確率は、色Ｂのドット配置をずらさない場合から大きく変化すると共に、重畳確率の平均値（平均の重畳確率）が、均一なノズル吐出率の場合における重畳確率である「0.52」（図１５）より小さくなることが分かる。
【０１５１】
図１６に示した主走査方向の１画素ずれの場合は、重畳確率の平均値が「0.42」となる。図１７に示した副走査方向の１画素ずれの場合は、重畳確率の平均値が「0.44」となる。一方、図７の点線に示した均一なノズル吐出率の場合は、図１４から明らかなように、主走査方向の画素ずれの有無に依らず、及び／又は副走査方向の画素ずれの有無に依らず、全画素について重畳確率は「0.52」である。
【０１５２】
不均一なノズル吐出率の場合、色Ａのドットと色Ｂのドットの配置のずれ量が、主走査方向にはパス数（本例では２）の倍数に一致する数の画素分のずれである場合、及び／又は、副走査方向にはノズルピッチ（本例では２）の倍数に一致する数の画素分のずれである場合に、２色の吐出率パターンが一致又は類似するため、重畳確率が大きくなり、ずれ量の変化に伴い、重畳確率が周期的に増減する。
【０１５３】
また、不均一なノズル吐出率の場合、重畳確率が副走査方向に周期的に変化する。もちろん、図７のグラフＧ１に示した不均一なノズル吐出率は、図１２の吐出率パターンにおいて各画素のノズル吐出率の数値が不均一でありつつも、単位面積あたりの平均の吐出率は均一となっている。ここでの単位面積とは、主走査方向にはパス数（オーバーラップ数）、副走査方向にはノズルピッチに相当する画素数から成る単位領域の面積を意味し、本例では、２×２画素が単位面積となる。
【０１５４】
仮に、単位面積あたりの平均の吐出率が不均一であると、当然にムラを生ずる。したがって、単位面積あたりの平均の吐出率が均一になるように、各ノズルの吐出率が設定される。
【０１５５】
しかしながら、単位面積あたりの平均の吐出率が均一だとしても、単位面積あたりの平均の重畳確率は均一にはならない。つまり、単位面積あたりの吐出率の平均値が均一だとしても、単位面積あたりの吐出率の２乗の平均値は均一にはならない。同様に、主走査方向及び／又は副走査方向の相対的な画素ずれに応じた画素同士のノズル吐出率の乗算値の単位面積あたりの平均値は均一にならない。
【０１５６】
図１８は、不均一なノズル吐出率である場合の副走査方向の各位置における単位面積あたりの平均の重畳確率を示す。図１８の横軸は、副走査方向の画素位置を表し、副走査方向の繰り返し単位である１００画素の範囲を示している。図１８の縦軸は、重畳確率を表す。
【０１５７】
図１８中の実線で表されるグラフは、色Ａと色Ｂのドットの配置にずれが無い場合（図１３）の単位面積あたりの平均の重畳確率を示す。図１８中の点線で表されるグラフは、色Ａのドットの配置と色Ｂのドットの配置を主走査方向に相対的に１画素ずらした場合（図１６）の単位面積あたりの平均の重畳確率を示す。図１８中の一点鎖線で表されるグラフは、色Ａのドットの配置と色Ｂのドットの配置を副走査方向に相対的に１画素ずらした場合（図１７）の単位面積あたりの平均の重畳確率を示す。
【０１５８】
図１８から明らかなように、単位面積あたりの平均の重畳確率は、副走査方向に周期的に変化していることが分かる。重畳確率の変化の周期や変化の仕方は、作画を行う際の走査の仕方によって、つまり、ノズルパターン及び各ノズルのノズル吐出率によって変わる。
【０１５９】
なお、均一なノズル吐出率の場合、主走査方向のドット配置のずれ、及び／又は副走査方向のドット配置のずれに依らず、全ての位置で重畳確率は「0.52」である。
【０１６０】
図１３及び図１６〜図１７では、不均一なノズル吐出率である場合の色Ａと色Ｂのドットの重畳確率を示し、単位面積あたりの平均的な重畳確率が、均一なノズル吐出率の場合（図１５）と異なることを説明した。更に、図１３及び図１６〜図１７では、色Ａと色Ｂのドット配置の少しのずれによって、重畳確率が大きく変化すること、また、重畳確率が副走査方向に周期的に変化することを説明した（図１８）。
【０１６１】
これまで、色Ａと色Ｂのドット同士が重なる重畳確率について説明してきたが、同様の原理により、色ＡのみドットＯＮとなる確率、若しくは、色ＢのみドットＯＮとなる確率、又は色Ａと色Ｂが共にドットＯＦＦとなる確率についても、同様に均一なノズル吐出率の場合とは異なることを説明できる。ドットＯＮ確率は、ノズル吐出率に相当しており、ドットＯＮ確率パターンは、吐出率パターンを意味する。一方、ドットＯＦＦ確率は、１からドットＯＮ確率を引いた値でるため、ドットＯＦＦ確率パターンは、１からノズル吐出率を引いたパターンとなる。
【０１６２】
そして、色ＡのみドットＯＮとなる確率のパターンは、ドットＯＮ確率パターンの各画素とドットＯＦＦ確率パターンの対応する各画素同士の値を乗じたパターンとなる。ここで、色Ａと色Ｂのドット配置をずらす場合は、ドットＯＮ確率パターンの各画素に対し、乗じるドットＯＦＦ確率パターンの画素を相対的にずらせばよい。
【０１６３】
また、色Ａと色Ｂが共にドットＯＦＦとなる確率のパターンは、ドットＯＦＦ確率パターンの各画素の値を２乗したパターンとなる。色Ａと色Ｂのドット配置をずらす場合には、ドットＯＦＦ確率パターンにおいて、ずらした画素同士の値を乗じればよい。このようにして、不均一なノズル吐出率の場合の色ＡのみドットＯＮとなる確率、若しくは、色ＢのみドットＯＮとなる確率、又は色Ａと色Ｂが共にドットＯＦＦとなる確率についても、図１３及び図１６〜図１８に相当する確率のパターン、及び／又はグラフを求めることによって、それらが均一なノズル吐出率の場合とは異なることを説明できる。
【０１６４】
［ドット配置の具体例による比較］
図１９は、図７の実線によって表されたグラフＧ１が示す不均一なノズル吐出率の場合の色Ａと色Ｂのドットの配置の具体例を示す図である。図１９の最左に示したパターンは、色Ａのドット配置の例である。図１９の左から２番目に示したパターンは、色Ｂのドット配置の例である。図１９の左から３番目に示したパターンは、色Ａのドット配置と色Ｂのドット配置とを重ねた場合のドットＯＦＦの配置を示している。
【０１６５】
図１９の右から２番目に示したパターンは、色Ａのドット配置と色Ｂのドット配置を主走査方向に相対的に１画素ずらして重ねた場合のドットＯＦＦの配置を示している。図１９の最右に示したパターンは、色Ａのドット配置と色Ｂのドット配置を副走査方向に相対的に１画素ずらして重ねた場合のドットＯＦＦの配置を示している。
【０１６６】
図１９に示した各パターンは、２０×２０画素の範囲のドットの配置図であり、黒塗りのセルはドットＯＮの画素を表しており、白抜きのセルはドットＯＦＦの画素を表している。
【０１６７】
図２０は、図７の点線によって表されたグラフＧｕが示す均一なノズル吐出率の場合の色Ａと色Ｂのドットの配置の具体例を示す図である。図２０に示した各パターンも、図１９と同様に、２０×２０画素の範囲のドットの配置図であり、黒塗りのセルはドットＯＮの画素を表しており、白抜きのセルはドットＯＦＦの画素を表している。
【０１６８】
図２０の最左に示したパターンは、色Ａのドット配置の例である。図２０の左から２番目に示したパターンは、色Ｂのドット配置の例である。図２０の左から３番目に示したパターンは、色Ａのドット配置と色Ｂのドット配置を重ねた場合のドットＯＦＦの配置を示している。
【０１６９】
図２０の右から２番目に示したパターンは、色Ａのドット配置と色Ｂのドット配置を主走査方向に相対的に１画素ずらして重ねた場合のドットＯＦＦの配置を示している。図２０の最右に示したパターンは、色Ａのドット配置と色Ｂのドット配置を副走査方向に相対的に１画素ずらして重ねた場合のドットＯＦＦの配置を示している。
【０１７０】
図２０に示したように、均一なノズル吐出率の場合は、色Ａと色Ｂの色間のドット配置の相対的なずれの有無によらず、ドットＯＦＦの画素の数はほとんど変わらない。これに対し、図１９に示したように、不均一なノズル吐出率の場合は、色間の相対的なずれが無い場合のドットＯＦＦの画素の数は、均一なノズル吐出率の場合より多い一方で、色間の相対的な位置関係が少しずれた場合には、ドットＯＦＦの画素の数は大幅に減少し、均一なノズル吐出率の場合よりもドットＯＦＦの画素の数が少なくなる。
【０１７１】
このことは、同時に、不均一なノズル吐出率の場合は、色間の相対的な位置のずれが無い場合の色Ａと色Ｂのドットが重なる画素の数が、均一なノズル吐出率の場合より多い一方で、色間の相対的な位置関係が少しずれた場合には、色Ａと色Ｂのドットが重なる画素の数が大幅に減少し、均一なノズル吐出率の場合よりもドットが重なる画素の数が少なくなることを示している。
【０１７２】
これまでの説明により、各ノズルのノズル吐出率を不均一に偏らせると、各々の画素でドットＯＮとなる確率、若しくは、ドットＯＦＦとなる確率が不均一に偏り、その結果、色Ａと色Ｂの２色の配置の重なる確率が均一なノズル吐出率の場合と比較して変わること、更に色Ａと色Ｂの少しの相対的な配置のずれによって、その重なる確率が大きく変化してしまうこと、また、その重なる確率が副走査方向に周期的に変化してしまうことが示された。
【０１７３】
また、色Ａ及び色Ｂの２色ともにドットＯＮになる確率である「重なる確率」（重畳確率）に限らず、２色のうち１色のみがドットＯＮになる確率、及び、２色ともドットＯＦＦになる確率のいずれの確率についても、均一なノズル吐出率の場合と比較して変わること、更に色Ａと色Ｂの少しの相対的な配置のずれによって、その確率が大きく変化してしまうこと、また、その確率が副走査方向に周期的に変化してしまうことが説明された。
【０１７４】
この結果、色Ａと色Ｂの２色のうち少なくとも１色が有彩色であると、色ムラを生じてしまう。すなわち、色Ａと色Ｂのドットの配置の重なる確率が副走査方向に変化することにより、色が副走査方向に変化するムラを生じてしまう。また、主走査方向及び／又は副走査方向に２色のドット配置のずれがあり、そのずれ量が主走査方向及び／又は副走査方向に変化する場合に、そのずれ量の変化に伴って２色のドット配置の重なる確率が変化し、結果として、色が変化するムラを生じてしまう。
【０１７５】
このことは、２色のドットが重なる確率に限らず、２色のうち１色のみがドットＯＮになる確率、及び、２色ともドットＯＦＦになる確率のうちのいずれの確率についても、同様であり、それぞれの確率が副走査方向に変化することにより、色が副走査方向に変化するムラを生じてしまう。また、主走査方向及び／又は副走査方向に２色のドット配置のずれがあり、そのずれ量が主走査方向及び／又は副走査方向に変化する場合に、そのずれ量の変化に伴って２色のドット配置の１色のみがドットＯＮになる確率、及び２色ともドットＯＦＦになる確率、の各々が変化し、結果として色が変化するムラを生じてしまう。このように、２色のうち少なくとも１色が有彩色である場合に、色ムラを生じ得る。
【０１７６】
［３色以上の組み合わせについて］
以上の説明では、ノズル吐出率が不均一な場合に、２色のドット配置の重なる確率が副走査方向に変化するために色ムラを生じること、また、ノズル吐出率が不均一な場合に、２色のドット配置のずれによって、重なる確率が変化するために色ムラを生ずることを説明した。
【０１７７】
同様に、ノズル吐出率が不均一な場合に３色以上の配置の重なる確率も副走査方向に変化すること、また３色以上のドット配置の相対的なずれによって、重なる確率が変化することも説明できる。
【０１７８】
まず、３色以上のドット配置について、所望のドットＯＮとドットＯＦＦの組み合わせで重なる確率のパターンは、吐出率パターンの各画素の値と、１から吐出率を引いたパターンの各画素の値を、その所望の組み合せで３回以上（色数と同じ数の回数だけ）乗じたパターンから求めることができる。
【０１７９】
例えば、色Ａ、色Ｂ及び色Ｃの３色の場合で考えると、色Ａと色ＢがドットＯＮ、かつ色ＣがドットＯＦＦとなる確率のパターンは、色ＡのドットＯＮに相当する吐出率パターンの各画素の値を色ＢのドットＯＮに相当する吐出率パターンの各画素の値に乗じ、更に色ＣのドットＯＦＦに相当する「１から吐出率を引いたパターンの各画素の値」を乗じること求めることができる。
【０１８０】
この場合、３色のドット配置をずらす場合には、ずらした画素同士の値を乗じればよい。例えば、色Ａと色Ｂのドット配置を主走査方向に１画素ずらす場合には、色ＡのドットＯＮに相当する吐出率パターンと色ＢのドットＯＮに相当する吐出率パターンの各画素同士の値を乗じる際に、主走査方向に１画素ずらした画素同士の値を乗じればよい。このようにして求めた、３色以上のドット配置のドットＯＮ又はドットＯＦＦの重なる確率のパターンから、３色以上のドット配置の副走査方向の重なる確率の変化や３色以上のドット配置のずれによる重なる確率の変化を調べることができ、その結果、２色の場合と同様に、「重なる確率」が変化してしまうことが分かる。
【０１８１】
３色以上の複数色の場合、その複数色のうちの何れの２色のドット配置の重なる確率も変化し、また３色以上のドット配置の重なる確率も変化することから、２色の場合と同様に色ムラを生じてしまう。３色以上のうち、１色でも有彩色を含むと色ムラを生じ得る。
【０１８２】
《実施形態の概要》
本発明の実施形態では、ハーフトーン処理に適用するディザマスクに各ノズルのノズル吐出率を反映して記録を制御する方法において、バンディングの低減と色ムラの低減を両立する技術を提供する。画像記録に用いる複数色のインクのうち、相対的に濃度の濃い色、例えばＣＭＹＫの４色のインクを用いる場合のブラックについては、バンディングを抑制するために端部ノズルのノズル吐出率を抑える必要がある。
【０１８３】
しかし、複数色のインクのうち、相対的に濃度の薄い色については端部ノズルのノズル吐出率を濃い色ほど抑えなくても、実際にはバンディングが目立たない。一方、有彩色については端部ノズルのノズル吐出率を抑えて中央部ノズルのノズル吐出率との差を大きくするほど、つまりノズル吐出率を不均一にするほど、色ムラを生じるリスクがある。
【０１８４】
そこで、例えば、シアン、マゼンタ、若しくはイエローのように、ブラックよりも薄い色であり、端部ノズルのノズル吐出率をブラックほど低く抑えなくてもバンディングが目立たず、端部ノズルのノズル吐出率を上げられる余地があり、かつ、有彩色であるためブラックのように端部ノズルのノズル吐出率を低く抑えると、他の色と重ねた場合に色ムラを生じるリスクがある場合には、シアン、マゼンタ、及びイエローのうちの少なくとも１色の各ノズルの吐出率を、ブラックよりも端部ノズルの吐出率を上げて、均一なノズル吐出率に近づけることにより、バンディングの低減と色ムラの低減を両立することができる。
【０１８５】
色ムラの課題に対して、各ノズルの吐出率が均一に近いほど、各々の画素でドットＯＮとなる確率（吐出率パターン）又はドットＯＦＦとなる確率（１から吐出率を引いたパターン）が均一に近くなり、各色の配置の重なる確率も均一に近くなるため、色ムラが低減される。
【０１８６】
図２１は、本発明の実施形態に適用されるノズル吐出率の例を示すグラフである。図２１中の一点鎖線で表されるグラフＧ２が示すノズル吐出率は、図２１中の実線で表されるグラフＧ１が示すノズル吐出率よりも、端ノズルの吐出率が大きく、均一なノズル吐出率（グラフＧ３）に近いものとなっている。すなわち、グラフＧ２に示されたノズル吐出率は、グラフＧ１に示されたノズル吐出率と比べて、端部ノズルのノズル吐出率と中央部ノズルのノズル吐出率の差が小さく、均一なノズル吐出率により近いものとなっている。
【０１８７】
図２１の実線で示したノズル吐出率のグラフＧ１は、図７の実線で示したノズル吐出率のグラフＧ１と同じである。図２１の点線で示したノズル吐出率のグラフＧ３は、図７の点線で示したノズル吐出率のグラフＧｕと同じである。
【０１８８】
グラフＧ２とグラフＧ３に注目すると、グラフＧ２に示されたノズル吐出率は、端部ノズルのノズル吐出率が中央部ノズルのノズル吐出率よりも低く抑えられたノズル吐出率である。グラフＧ３に示されたノズル吐出率は、グラフＧ２に示されたノズル吐出率と比べて、端部ノズルのノズル吐出率と中央部ノズルのノズル吐出率の差が小さいノズル吐出率である。
【０１８９】
グラフＧ１とグラフＧ３に注目すると、グラフＧ１に示されたノズル吐出率は、端部ノズルのノズル吐出率が中央部ノズルのノズル吐出率よりも低く抑えられたノズル吐出率である。グラフＧ３に示されたノズル吐出率は、グラフＧ１に示されたノズル吐出率と比べて、端部ノズルのノズル吐出率と中央部ノズルのノズル吐出率の差が小さいノズル吐出率である。
【０１９０】
グラフＧ１、Ｇ２、及びＧ３のうち、グラフＧ１に示されたノズル吐出率は、端ノズルのノズル吐出率が最も低い。
【０１９１】
グラフＧ１、Ｇ２、及びＧ３のうち、グラフＧ１に示されたノズル吐出率は、端部ノズルのノズル吐出率と中央部ノズルのノズル吐出率の差が最も大きい。
【０１９２】
グラフＧ１、Ｇ２、及びＧ３のうち、グラフＧ３に示されたノズル吐出率は、端ノズルのノズル吐出率が最も高い。
【０１９３】
グラフＧ１、Ｇ２、及びＧ３のうち、グラフＧ３に示されたノズル吐出率は、端部ノズルのノズル吐出率と中央部ノズルのノズル吐出率の差が最も小さい。
【０１９４】
例えば、シアン、マゼンタ、イエロー及びブラックの４色系である場合、ブラックのインクを吐出するノズル列の各ノズルの吐出率として、グラフＧ１に示すノズル吐出率が設定され、シアン、マゼンタ、及びイエローのうちの少なくとも１色の各ノズルの吐出率として、グラフＧ２に示すノズル吐出率が設定される。
【０１９５】
〈２色の各ノズルの吐出率がともにグラフＧ２のノズル吐出率である場合の例〉
例えば、シアン、マゼンタ、イエローのうち、シアンとマゼンタについて各ノズルのノズル吐出率が、共に、図２１のグラフＧ２に示されたノズル吐出率に設定され、イエローについての各ノズルのノズル吐出率が、図２１のグラフＧ３に示されたノズル吐出率に設定される。
【０１９６】
図２２は、図２１のグラフＧ２に示されたノズル吐出率を適用した場合の１０×１０画素分の吐出率パターンである。図２２は、図１１に示したノズルパターンに対して図２１のグラフＧ２に示すノズル吐出率を適用した吐出率パターンである。
【０１９７】
図２３に、シアンとマゼンタの２色の重畳確率パターンを示す。図２３に示す重畳確率パターンは、図２２に示した吐出率パターンの各画素の値を２乗した値のパターンとなっている。
【０１９８】
図２４に、シアンとマゼンタの２色のドット配置が主走査方向に１画素ずれた場合の重畳確率パターンを示す。図２５に、シアンとマゼンタの２色のドット配置が副走査方向に１画素ずれた場合の重畳確率パターンを示す。
【０１９９】
図２３と図１３を比較すると明らかなように、図２１の実線で示したノズル吐出率（グラフＧ１）の場合と比べて、図２１の一点鎖線で示したノズル吐出率（グラフＧ２）は、各画素の重畳確率の差が小さいことがわかる。図２３に示す重畳確率パターンにおいて、各画素の重畳確率は、0.18から0.71までのいずれかの値であることがわかる。一方、図１３に示す重畳確率パターンでは、各画素の重畳確率は、0.00から1.00までのいずれかの値である。
【０２００】
また、図２１の一点鎖線で示したノズル吐出率（グラフＧ２）を採用した場合の図２３から図２５と、図２１の実線で示したノズル吐出率（グラフＧ１）を採用した場合の図１３、図１６及び図１７とを比較すると明らかなように、図２１の一点鎖線で示したノズル吐出率（グラフＧ２）は、図２１の実線で示したノズル吐出率（グラフＧ１）の場合と比べて、主走査方向及び／又は副走査方向の少しのずれによる平均の重畳確率の差も小さいことがわかる。
【０２０１】
２色のドットの配置にずれが無い場合に相当する図２３の重畳確率パターンにおいて、単位面積あたりの平均の重畳確率は0.54である。２色のドット配置が主走査方向に１画素ずれた場合に相当する図２４の重畳確率パターンにおいて、単位面積あたりの平均の重畳確率は0.50である。２色の配置が副走査方向に１画素ずれた場合に相当する図２５の重畳確率パターンにおいて単位面積あたりの平均の重畳確率は0.51である。
【０２０２】
図２６は、図２１の一点鎖線で示したノズル吐出率（グラフＧ２）を採用した場合の副走査方向の各位置における単位面積あたりの平均の重畳確率を示すグラフである。図２６の横軸は、副走査方向の画素位置を表し、縦軸は重畳確率を表す。図２６中の実線で表されるグラフは、２色のドット配置にずれが無い場合（図２３の場合）の単位面積あたりの平均の重畳確率を示す。図２６中の点線で表されるグラフは、２色のドット配置が主走査方向に相対的に１画素ずれた場合（図２４の場合）の単位面積あたりの平均の重畳確率を示す。図２６中の一点鎖線で表されるグラフは、２色のドット配置が副走査方向に相対的に１画素ずれた場合（図２５の場合）の単位面積あたりの平均の重畳確率を示す。
【０２０３】
図２６と図１８を比較すると明らかなように、図２１の一点鎖線で示したノズル吐出率（グラフＧ２）は、図２１の実線で示したノズル吐出率（グラフＧ１）の場合と比べて、副走査方向の平均の重畳確率の変化が小さく、均一なノズル吐出率の場合の平均の重畳確率の値「0.52」（図１５）に近いことがわかる。
【０２０４】
〈２色のノズル吐出率が異なる場合〉
２色のうち１色のノズルの吐出率が図２１の実線で示したノズル吐出率であり、他の１色のノズルの吐出率が図２１の一点鎖線で示したノズル吐出率である場合についても、２色共に図２１の実線で示したノズル吐出率の場合の重畳確率よりも均一に近くなる。
なる。
【０２０５】
図２７は、２色のうち１色のノズルの吐出率が図２１のグラフＧ１に示されたノズル吐出率であり、他の１色のノズルの吐出率が図２１のグラフＧ２に示されたノズル吐出率である場合の１０×１０画素分の重畳確率パターンである。
【０２０６】
図２７の重畳確率パターンは、図１１のノズルパターンに図２１のグラフＧ１に示されたノズル吐出率を適用した吐出率パターンと、図１１のノズルパターンに図２１のグラフＧ２に示されたノズル吐出率を適用した吐出率パターンとの対応する画素同士の値を乗じることにより求められる。
【０２０７】
図２８に、２色のドット配置が主走査方向に１画素ずれた場合の重畳確率パターンを示す。図２９に、２色のドット配置が副走査方向に１画素ずれた場合の重畳確率パターンを示す。２色のドット配置を主走査方向、又は副走査方向にずらした場合の重畳確率パターンは、図１１のノズルパターンに図２１のグラフＧ１に示されたノズル吐出率を適用した吐出率パターンと、図１１のノズルパターンに図２１のグラフＧ２に示されたノズル吐出率を適用した吐出率パターンとの、ずらした位置関係の対応する画素同士の値を乗じることにより求められる。
【０２０８】
図３０は、副走査方向の各位置における単位面積あたりの平均の重畳確率を示すグラフである。図３０の横軸は、副走査方向の画素位置を表し、縦軸は重畳確率を表す。図３０中の実線で表されるグラフは、２色のドット配置にずれが無い場合（図２７の場合）の単位面積あたりの平均の重畳確率を示す。図３０中の点線で表されるグラフは、２色のドット配置が主走査方向に相対的に１画素ずれた場合（図２８の場合）の単位面積あたりの平均の重畳確率を示す。図３０中の一点鎖線で表されるグラフは、２色のドット配置が副走査方向に相対的に１画素ずれた場合（図２９の場合）の単位面積あたりの平均の重畳確率を示す。
【０２０９】
図２７に示す重畳確率パターンにおいて、各画素の重畳確率は、0.00から0.84までのいずれかの値である。また、２色のドットの配置にずれが無い場合に相当する図２７の重畳確率パターンにおいて、単位面積あたりの平均の重畳確率は0.56である。２色のドット配置が主走査方向に１画素ずれた場合に相当する図２８の重畳確率パターンにおいて、単位面積あたりの平均の重畳確率は0.48である。２色の配置が副走査方向に１画素ずれた場合に相当する図２９の重畳確率パターンにおいて単位面積あたりの平均の重畳確率は0.48である。
【０２１０】
図２７から図３０に示した態様は、２色共に図２１の一点鎖線に示したノズル吐出率（グラフＧ２）である場合の重畳確率に比べると、やや不均一であるものの、２色共に図２１の実線に示したノズル吐出率（グラフＧ１）である場合の重畳確率よりも均一であることが分かる。
【０２１１】
〈ドット配置の具体例〉
図３１は、２色のノズル吐出率が共に図２１の一点鎖線で示したノズル吐出率（グラフＧ２）である場合のドット配置の例を示す図である。図３１の最左に示したパターンは、色Ａのドット配置の例である。図３１の左から２番目に示したパターンは、色Ｂのドット配置の例である。図３１の左から３番目に示したパターンは、色Ａのドット配置と色Ｂのドット配置とを重ねた場合のドットＯＦＦの配置を示している。
【０２１２】
図３１の右から２番目に示したパターンは、色Ａのドット配置と色Ｂのドット配置を主走査方向に相対的に１画素ずらして重ねた場合のドットＯＦＦの配置を示している。図３１の最右に示したパターンは、色Ａのドット配置と色Ｂのドット配置を副走査方向に相対的に１画素ずらして重ねた場合のドットＯＦＦの配置を示している。
【０２１３】
図３２は、２色のうち１色のノズル吐出率が図２１の実線で示したノズル吐出率（グラフＧ１）であり、他の１色のノズル吐出率が図２１の一点鎖線で示したノズル吐出率（グラフＧ２）である場合のドット配置の例を示す図である。図３２の最左に示したパターンは、色Ａのドット配置の例である。図３２の左から２番目に示したパターンは、色Ｂのドット配置の例である。図３２の左から３番目に示したパターンは、色Ａのドット配置と色Ｂのドット配置とを重ねた場合のドットＯＦＦの配置を示している。
【０２１４】
図３２の右から２番目に示したパターンは、色Ａのドット配置と色Ｂのドット配置を主走査方向に相対的に１画素ずらして重ねた場合のドットＯＦＦの配置を示している。図３２の最右に示したパターンは、色Ａのドット配置と色Ｂのドット配置を副走査方向に相対的に１画素ずらして重ねた場合のドットＯＦＦの配置を示している。
【０２１５】
図３１及び図３２に示した各パターンは、２０×２０画素の範囲のドットの配置図であり、黒塗りのセルはドットＯＮの画素を表しており、白抜きのセルはドットＯＦＦの画素を表している。
【０２１６】
図３１に示した態様及び図３２に示した態様の両方共に、図１９に示した態様と比べて、２色のドットの配置のずれによるドットＯＦＦ画素数の差が少ないことがわかる。図１９に示した態様とは、２色のノズル吐出率が共に図２１の実線で示したノズル吐出率（グラフＧ１）である場合を指す。
【０２１７】
以上説明したとおり、有彩色である少なくとも１色の各ノズルの吐出率を、無彩色であるブラックよりも端ノズルの吐出率を上げて、均一なノズル吐出率に近づけることにより、バンディングの低減と色ムラの低減を両立することができる。
【０２１８】
《画像処理装置の構成例》
本実施形態では、ディザマスクを用いるハーフトーン処理により、色ごとの各ノズルの吐出率を制御する例を説明する。図２１のグラフＧ１やグラフＧ２に例示された各ノズルのノズル吐出率を制御目標として用い、そのノズル吐出率を反映したディザマスクを生成することができる。
【０２１９】
図３３は、実施形態に係る画像処理装置の機能を示すブロック図である。画像処理装置２００は、画像データの色種に応じて、複数のディザマスクを選択的に使用して、各色の連続調画像のデータをそれぞれハーフトーン処理する機能を有する。図３３に示す画像処理装置２００の機能は、インクジェット記録装置１０の制御装置１０２（図５参照）に組み込むことができる。図５に示した画像処理部１１０は、画像処理装置２００に相当する。
【０２２０】
画像処理装置２００は、無彩色で濃度の濃い色としてのブラックの画像データに対してディザマスクＡを用いてハーフトーン処理を行う。画像処理装置２００は、ブラックと比べて濃度が薄い有彩色のシアンとマゼンタの各色の画像データに対してディザマスクＢを用いてハーフトーン処理を行う。画像処理装置２００は、ブラックと比べて濃度の非常に薄い有彩色のイエローの画像データに対してディザマスクＣを用いてハーフトーン処理を行う。
【０２２１】
ディザマスクＡは、バンディングを抑制するために、図２１の実線に示したグラフＧ１のようにノズル列の端のノズルの吐出率を低く抑えたディザマスクである。図２１の実線に示したグラフＧ１のノズル吐出率を用いて、そのノズル吐出率を反映したディザマスクＡが生成される。
【０２２２】
ディザマスクＢは、バンディングをある程度抑制しつつも色ムラを抑制するために、図２１の一点鎖線に示したグラフＧ２のように、端ノズルの吐出率を中間ノズルの吐出率に近づけた（グラフＧ１よりも均一なノズル吐出率に近い）ディザマスクである。図２１の一点鎖線に示したグラフＧ２のノズル吐出率を用いて、そのノズル吐出率を反映したディザマスクＢが生成される。
【０２２３】
ディザマスクＣは、図２１の点線に示したグラフＧ３のように、ノズル列における各ノズルの吐出率が一定である均一なノズル吐出率のディザマスクである。イエローは、バンディングへの寄与が殆どないため、ディザマスクＣを用いることができる。ディザマスクＣは、従来の通常のディザマスクであり、例えば、公知のボイドアンドクラスタ法などを用いて生成したブルーノイズマスクを用いればよい。
【０２２４】
本例の場合、グラフＧ１とＧ２に注目すると、グラフＧ１のノズル吐出率が「第１のノズル吐出率」に相当し、グラフＧ２のノズル吐出率が「第２のノズル吐出率」に相当する。或いは、グラフＧ２とＧ３に注目すると、グラフＧ２のノズル吐出率が「第１のノズル吐出率」に相当し、グラフＧ３のノズル吐出率が「第２のノズル吐出率」に相当する。或いは、グラフＧ１とＧ３に注目すると、グラフＧ１のノズル吐出率が「第１のノズル吐出率」に相当し、グラフＧ３のノズル吐出率が「第２のノズル吐出率」に相当する。
【０２２５】
画像処理装置２００は、画像データ取得部２０２と、色変換部２０４と、ハーフトーン処理部２０６と、ディザマスク選択部２０８と、ディザマスク記憶部２１０と、データ出力部２１２とを含む。画像処理装置２００の機能は、コンピュータのハードウェアとソフトウェアの組み合わせによって実現できる。
【０２２６】
画像データ取得部２０２は、印刷対象となる画像データを取り込む入力インターフェース部である。画像データ取得部２０２は、外部又は装置内の他の信号処理部から画像データを取り込むデータ入力端子で構成することができる。画像データ取得部２０２として、有線又は無線の通信インターフェース部を採用してもよいし、メモリカードなどの外部記憶媒体（リムーバブルディスク）の読み書きを行うメディアインターフェース部を採用してもよく、若しくは、これら態様の適宜の組み合わせであってもよい。画像データ取得部２０２は、図５で説明した画像入力インターフェース１２６であってよい。
【０２２７】
色変換部２０４は、入力された画像データの色変換処理を行う。色変換部２０４は、例えば、ＲＧＢの画像データをＣＭＹＫの画像データに変換する処理を行う。ＲＧＢの表記におけるＲはレッド（赤）を表す。Ｇはグリーン（緑）を表す。Ｂはブルー（青）を表す。色変換部２０４は、インターナショナル・カラー・コンソーシアム (ＩＣＣ：International Color Consortium)によるＩＣＣプロファイルの形式に則したカラープロファイルを用いて、画像データの色変換処理を行い、インクジェット記録装置１０による出力に適したカラー画像信号を生成する。インクジェット記録装置１０においてＣＭＹＫの４色のインクを用いる場合には、色変換部２０４によりＣＭＹＫの画像データが生成される。また、ＣＭＹＫに加え、ライトマゼンタ（ＬＭ）及びライトシアン（ＬＣ）を含む６色のインクを用いる場合には、色変換部２０４によりＣＭＹＫとＬＭ、ＬＣの各色成分を含む画像データが生成される。色変換部２０４は、入力された画像データから、インクジェット記録装置１０において用いられるインクの色ごとの画像データに分離する分版処理を行う。
【０２２８】
なお、画像データ取得部２０２からＣＭＹＫの画像データが入力される場合には、色変換部２０４におけるＲＧＢ→ＣＭＹＫの色変換処理は省略することができる。また、図示は省略するが、色変換処理後の画像データに対して、インクジェット記録装置１０で規定された発色特性となるように階調変換処理を施してもよい。
【０２２９】
ハーフトーン処理部２０６は、ディザマスクＡ、ディザマスクＢ又はディザマスクＣのいずれかを用いて、各色の連続調画像に対してハーフトーン処理を行い、ハーフトーン処理結果としての２値画像を生成する。
【０２３０】
ディザマスク選択部２０８は、ディザマスク記憶部２１０に記憶されているディザマスクＡ、ディザマスクＢ、及びディザマスクＣの中から、ハーフトーン処理部２０６に適用するディザマスクを選択する処理を行う。
【０２３１】
ディザマスク選択部２０８は、２値化する画像データの色種に応じて、ディザマスクＡ、ディザマスクＢ、又はディザマスクＣを選択する。ディザマスク選択部２０８は、ブラックの画像データに対して、ディザマスクＡを選択する。ディザマスク選択部２０８は、シアン及びマゼンタの画像データに対して、ディザマスクＢを選択する。ディザマスク選択部２０８は、イエローの画像データに対して、ディザマスクＣを選択する。
【０２３２】
ディザマスク記憶部２１０は、ディザマスクＡ、ディザマスクＢ、及びディザマスクＣを含む複数の種類のディザマスクのデータを記憶しておく記憶装置である。ディザマスク記憶部２１０は、ハードディスク装置及び／又はメモリなどの記憶デバイスを含んで構成される。
【０２３３】
ディザマスク選択部２０８により選択されたディザマスクのデータが、ディザマスク記憶部２１０から読み出され、ハーフトーン処理部２０６に送られる。
【０２３４】
ハーフトーン処理部２０６は、Ｃ、Ｍ、Ｙ、Ｋの色種ごとに、それぞれ適切なディザマスクを適用して、色種ごとの２値画像を生成する。２値画像は、ドットの配置パターンを示すドット画像である。２値画像は、ハーフトーン画像と同義である。ハーフトーン処理部２０６のハーフトーン処理結果として得られる色ごとの２値画像は、色ごとのドットの配置パターンを表すドットデータに相当する。本実施形態では、ハーフトーン処理部２０６が生成するドットデータとして、ドットのオンオフを示す２値のデータ（２値化データ）である２値画像を例示するが、ドットデータとして、ドットサイズの種類（大ドット、中ドッド、小ドットなど）に対応した多値のデータを用いてもよい。
【０２３５】
データ出力部２１２は、ハーフトーン処理部２０６にて生成された２値画像のデータを画像処理装置２００の内部の処理部又は装置外部に出力するインターフェースである。ハーフトーン処理部２０６にて生成された２値画像のデータはデータ出力部２１２を通じて、吐出制御部１１２（図５参照）に送られ、記録ヘッド２４を用いて印刷が行われる。
【０２３６】
〈画像処理装置における画像処理方法〉
図３４は、画像処理装置２００の処理の流れを示すフローチャートである。ステップＳ１０２において、画像処理装置２００に対し、処理の対象となる画像データを入力する。
【０２３７】
ステップＳ１０４において、画像処理装置２００は、入力された画像データに対し色変換を行う。例えば、色変換部２０４は、ＲＧＢの画像データからＣＭＹＫの画像データに変換する処理を行う。
【０２３８】
ステップＳ１０６において、画像処理装置２００は、ＣＭＹＫの色ごとにハーフトーン処理を行う。ハーフトーン処理部２０６は、色種に応じたディザマスクを適用して、色ごとの２値画像を生成する。
【０２３９】
ステップＳ１０８において、画像処理装置２００は、ハーフトーン処理結果を印刷データに変換してインクジェット印刷装置に出力する。
【０２４０】
図３５は、ハーフトーン処理工程（図３４のステップＳ１０６）における処理の内容を示すフローチャートである。
【０２４１】
ここでは、ＣＭＹＫの４色の各色についてステップＳ１２０からステップＳ１２６の処理が繰り返される。例えば、ＣＭＹＫの４色の色種を区別するインデックスを0、１、2、3とし、「0」はシアン、「1」はマゼンタ、「2」はイエロー、「3」はブラックをそれぞれ表すものとする。色種のインデックス変数を「color」とし、初期値の「0」から、最終値の「3」まで、インデックス変数を「+1」ずつ変えて、ステップＳ１２０からステップＳ１２６の処理を繰り返す。
【０２４２】
ステップＳ１２２において、画像処理装置２００は、色種に対応したディザマスクを選択する。ディザマスク選択部２０８は、シアン及びマゼンタに対して、ディザマスクＢを選択する。ディザマスク選択部２０８は、イエローに対して、ディザマスクＣを選択する。ディザマスク選択部２０８は、ブラックに対して、ディザマスクＡを選択する。
【０２４３】
ステップＳ１２４において、画像処理装置２００は、ステップＳ１２２にて選択されたディザマスクを用いて、色ごとにディザ処理を行い、２値画像を生成する。
【０２４４】
ＣＭＹＫの各色の２値画像をすべて生成した後、図３５のフローチャートを抜けて、図３４のステップＳ１０８に移行する。
【０２４５】
本例において、ディザマスクＡとディザマスクＢの関係に注目すると、ブラックに適用されるディザマクスＡの制御目標のノズル吐出率（図２１のグラフＧ１）が「第１のノズル吐出率」に相当し、シアン及びマゼンタに適用されるディザマスクＢの制御目標のノズル吐出率（図２１のグラフＧ２）が「第２のノズル吐出率」に相当する。
【０２４６】
或いは、ディザマスクＢとディザマスクＣの関係に注目すると、シアン及びマゼンタに適用されるディザマクスＢの制御目標のノズル吐出率（図２１のグラフＧ２）が「第１のノズル吐出率」に相当し、イエローに適用されるディザマスクＣの制御目標のノズル吐出率（図２１のグラフＧ３）が「第２のノズル吐出率」に相当する。
【０２４７】
或いは、ディザマスクＡとディザマスクＣの関係に注目すると、ブラックに適用されるディザマクスＡの制御目標のノズル吐出率（図２１のグラフＧ１）が「第１のノズル吐出率」に相当し、イエローに適用されるディザマスクＣの制御目標のノズル吐出率（図２１のグラフＧ３）が「第２のノズル吐出率」に相当する。
【０２４８】
ディザマスク記憶部２１０に、ディザマスクＡ、ディザマスクＢ及びディザマスクＣを記憶しておく工程が「複数種類のディザマスクを用意しておく工程」の一例に相当する。
【０２４９】
《ハーフトーン処理に用いるディザマスクについて》
ディザマスクの生成に際しては、制御目標としてのノズル吐出率を定め、デューティの増加と共に、ノズル吐出率を概ね保ったまま、ノズル絶対吐出率を増していくように、ディザマスクの各画素の閾値が設定される。
【０２５０】
〈ディザマスク生成方法の例〉
ディザマスクＡ及びディザマスクＢの生成方法の例について説明する。
【０２５１】
図３６は、ディザマスク生成方法の手順の例を示すフローチャートである。本例のディザマスク生成方法は、ディザマスクの初期ドット配置を設定する工程（ステップＳ１）と、初期ドット配置から降順で閾値を設定する工程（ステップＳ２）と、初期ドット配置から昇順で閾値を設定する工程（ステップＳ３）と、を含む。
【０２５２】
図３６に示したフローチャートの各工程の処理は、ディザマスク生成装置として機能するコンピュータによって行われる。コンピュータは、プログラムを実行することによりディザマスク生成装置として機能する。
【０２５３】
ここでは、ディザマスク生成方法を簡易にするため、初期ドット配置は、極めて低デューティのドット配置とし、かつ、ノズル吐出率を反映させないものとする。初期ドット配置に対応する「極めて低デューティ」の初期デューティは、例えば、０％よりも大きく、かつ１％以下の値とすることができ、より好ましくは、０．１％以上０．５％以下の値とする。この程度の低デューティであれば、ノズル吐出率の設定の影響が殆んど無視できる。初期ドット配置のデューティ（初期デューティ）については、上記に例示の数値に限らず、ノズル吐出率の設定の影響が無視できる程度に小さい値であればよい。
【０２５４】
ステップＳ１の初期ドット配置設定工程は、ディザマスクのマスクサイズと同等の画素配列の領域であるマスク領域に、予め定められた初期デューティに対応するドット数のドットを配置する。
【０２５５】
ステップＳ２に示した降順の閾値設定工程は、公知の閾値設定方法を用い、ノズル吐出率を反映させずに、各階調の閾値を設定する処理を行う工程である。「降順」とは、閾値が大きい値のものから閾値を設定し、順次、小さい値の閾値を設定していく手順である。ステップＳ２における「降順」は、初期ドット配置に対応する階調の閾値から、順次、小さい値の閾値を設定していく処理を意味する。
【０２５６】
つまり、ステップＳ２では、初期ドット配置から、次第にドットを取り除きながら、降順で、順次に小さな閾値を閾値未設定画素に設定していく処理を行う。降順における「閾値未設定画素とは、ドット有りの画素である。「ドット有り」とは「ドットＯＮ」と同義である。
【０２５７】
ステップＳ３に示した昇順の閾値設定工程は、ノズル吐出率を反映させて、昇順で閾値未設定画素に閾値を設定する処理を行う工程である。「昇順」とは、閾値が小さい値のものから閾値を設定し、順次、大きい値の閾値を設定していく手順である。ステップＳ３における「昇順」は、初期ドット配置に対応する階調の閾値から、順次、大きい値の閾値を設定していく処理を意味する。
【０２５８】
なお、降順による閾値設定工程（ステップＳ２）と昇順による閾値設定工程（ステップＳ３）の順番は前後入れ替え可能である。
【０２５９】
図３７は、昇順の閾値設定工程（図３６のステップＳ３）に適用される昇順の閾値設定処理の例を示すフローチャートである。
【０２６０】
図３７に示す実施形態による昇順の閾値設定処理では、まず、ノズル吐出率の設定の段階Ｑを初期値である「段階Ｑ＝１」に設定する（ステップＳ１２）。本実施形態では、デューティの領域に応じて、ノズルごとのノズル吐出率を段階的に切り替えて設定するため、ノズル吐出率に段階を設けている。段階Ｑはノズル吐出率の段階を示す変数である。
【０２６１】
本実施形態では、ノズル吐出率を「優先画素設定率」として利用することができ、「ノズル吐出率」という用語は「優先画素設定率」と置き換えて理解することができる。
【０２６２】
図３８は、段階数が２段階である場合の各段階のノズル吐出率の例を示している。図３８の横軸はノズル番号を表し、縦軸はノズル吐出率を表している。図３８においてＱ＝１のグラフは段階１、Ｑ＝２のグラフは段階２の各段階のノズル吐出率を示している。ここでは、ノズル数が５０個である記録ヘッドを例に説明する。
【０２６３】
段階を示す「Ｑ」は、ノズル吐出率の小さい順に、Ｑ＝１から、段階の最大値までの整数の値を取り得る。つまり、ｋを１以上の整数とする場合に、段階ｋ＋１のノズル吐出率は、段階ｋのノズル吐出率よりも大きい。段階１のノズル吐出率が最も低く、最後の段階のノズル吐出率（図３８では段階２のノズル吐出率）は、各ノズルについて全て「１．０」とする。
【０２６４】
Ｑ＝１の各ノズル吐出率は、図２１の実線で表されたグラフＧ１に相当する。つまり、図３８は、ディザマスクＡを生成する際に、制御目標として用いられるノズル吐出率である。
【０２６５】
段階１のノズル吐出率の設定の下では、各ノズルは段階１のグラフで示されたノズル絶対吐出率の範囲でしかドットを記録することができない。つまり、各ノズルのノズル吐出率を段階１のグラフのように設定すると、その設定の下で記録できるデューティの上限は決まってくる。図３８における段階１の場合、記録できるデューティの上限は概ね７２％である。したがって、最大デューティ１００％まで、ディザマスクの閾値を設定するためには、段階１から更に吐出率を増加させ、最後の段階で全ノズルのノズル吐出率は全て「１．０」にしなければならない。すなわち、ディザマスクの閾値未設定の画素に設定する閾値の値の増加に応じて、ノズル吐出率の設定を少なくとも２段階の複数段階に変更することが必要である。
【０２６６】
図３８では、２段階のノズル吐出率（Ｑ＝１，２）の設定形態が例示されているが、２段階以上の任意の段階数とすることができる。
【０２６７】
図８で説明した記録ヘッド２４Ａのノズル列６１Ａにおける各ノズル６２のノズル吐出率を、例えば、図３８に示すように、段階１〜２の各段階のノズル吐出率に切り替えて設定することができる。本実施形態では、図３８に示すＱ＝１のノズル吐出率を適用してデューティ72%まで閾値設定する。その後、デューティ100%までＱ＝２のノズル吐出率を適用して閾値設定する。
【０２６８】
つまり、デューティ72％までは、各ノズル吐出率の相対的な比率がＱ＝１のノズル吐出率と同じ比率を保ったまま、閾値と共に、各ノズルの絶対的な吐出率が増えてゆき、デューティ72％から100％までは、各ノズル吐出率の相対的な比率が、Ｑ＝１のノズル吐出率からＱ＝２のノズル吐出率と同じ比率に徐々に変化しながら、閾値と共に各ノズルの絶対的な吐出率が増えることになる。
【０２６９】
図３７のステップＳ１２において、段階Ｑ＝１に設定した後、ステップＳ１４に進む。ステップＳ１４では、記録ヘッド２４Ａにおける各ノズル６２のノズル吐出率を設定する。ここで設定するノズル吐出率は、優先画素設定率の一形態に相当し、ステップＳ１４のノズル吐出率設定工程は、優先画素設定率設定工程の一形態に相当する。段階Ｑ＝１に設定されている場合においては、図８に示した記録ヘッド２４Ａのノズル列６１Ａにおける各ノズル６２のノズル吐出率を、図３８の段階Ｑ＝１に示したグラフのように設定する。
【０２７０】
次いで、図３７のステップＳ１６において、走査パターンに従って各画素に対応するノズル番号（すなわち、ノズルパターン）を設定する。ステップＳ１６の工程は、ディザマスクのマスクサイズと同等の画素数の画素配列を持つ画像領域（つまりマスク領域）について、インクジェット記録装置１０による画像記録を行う際の走査パターンに従って、ディザマスクの各画素に対応するノズル番号を設定する処理を行う工程である。
【０２７１】
各画素に対応するノズル番号とは、各画素の記録を担当するノズルのノズル番号を意味する。ステップＳ１６の工程は、ディザマスクの各画素について、それぞれ対応するノズル番号を決定することに相当する。
【０２７２】
ｍとｎがそれぞれ自然数であるとし、生成目標であるディザマスクがｍ行×ｎ列のマトリクスである場合には、ｍ行×ｎ列の二次元の画素配列からなる画像領域の各画素に対して、それぞれ対応するノズル番号を決定する。ディザマスクの各画素について、対応するノズル番号を定めたノズル番号のパターンを、ディザマスクのノズルパターンと呼ぶ。
【０２７３】
ステップＳ１６の工程は、ディザマスクの各画素とそれぞれの画素位置の記録を担うノズル番号との対応関係を表すノズルパターンを設定する工程に相当し、「ノズルパターン設定工程」の一形態に相当する。
【０２７４】
ディザマスクのノズルパターンは、例えば、繰り返し最小単位のノズルパターンが繰り返されるものである。
【０２７５】
図３７のステップＳ１６にてディザマスクのノズルパターンを設定した後、次いで、図３７のステップＳ１８に進む。ステップＳ１８では、ステップＳ１４で設定した段階Ｑのノズル吐出率と、ステップＳ１６で設定されたノズルパターンに基づき、ドット優先画素を設定する。ステップＳ１８は「ドット優先画素設定工程」の一形態に相当する。ドット優先画素は、ディザマスクの画素のうち閾値を設定する画素の候補となる画素群である。
【０２７６】
図３９は、ドット優先画素の配置の例を示した図である。図３９は、図３８で説明した段階Ｑ＝１のノズル吐出率と、図１１で説明したノズルパターンを基に設定されるドット優先画素の配置例を示している。図３９に示したノズル番号は、図１１の例と同じである。図１１に示したノズルパターンは、副走査方向に100画素（紙送り量25画素×4回）で繰り返すが、そのうち、図３９では18画素分だけ示した。
【０２７７】
ディザマスクのサイズは、副走査方向のサイズがノズルパターンの繰り返し最小単位の整数倍のサイズであり、かつ、主走査方向のサイズがノズルパターンの繰り返し最小単位の整数倍のサイズであることが好ましい。本例の場合、ノズルパターンが副走査方向に100画素の繰り返しのため、ディザマスクのサイズは、繰り返し最小単位の倍数、例えば、100×100画素であるとする。図３９では、100×100画素のディザマスクのうちの一部である20×18画素のドット優先画素を図示している。また、図３９において、吐出率の値は、小数第5位で四捨五入して、小数第4位まで表示している。
【０２７８】
図１１で説明したノズルパターンから明らかなように、主走査方向のパス数が２である場合、100×100画素のディザマスクに対応するノズルパターンは、奇数列と偶数列とで使用されるノズルが異なる。以下、説明の便宜上、奇数列（図３９の左から１列目、３列目、５列目・・・）の記録に用いるノズルを「左ノズル」とよび、偶数列（図３９の左から２列目、４列目、６列目・・・）の記録に用いるノズルを「右ノズル」とよぶ。
【０２７９】
図３９は、図３８のＱ＝１に示したノズル吐出率と、図１１に示したノズルパターンを基に設定されるドット優先画素の配置の例を示している。
【０２８０】
図３９において「左ノズル吐出率」とは、100×100画素のディザマスクに対応するノズルパターンにおける奇数列に属する画素を記録する各ノズルのノズル吐出率を意味する。また、図３９において「右ノズル吐出率」とは、100×100画素のディザマスクに対応するノズルパターンにおける偶数列に属する画素を記録する各ノズルのノズル吐出率を意味する。
【０２８１】
「左ノズル優先画素数」とは、100×100画素のディザマスクに対応するノズルパターンにおける奇数列に属する画素からなる主走査方向ラスタ内のドット優先画素数を意味する。「右ノズル優先画素数」とは、100×100画素のディザマスクに対応するノズルパターンにおける偶数列に属する画素からなる主走査方向ラスタ内のドット優先画素数を意味する。図３９において、ドット優先画素数の値は、小数第3位で四捨五入して、小数第2位まで表示している。
【０２８２】
ディザマスクのマスクサイズにおける全体のドット優先画素数は、各ラスタを記録する各ノズルのノズル吐出率に、ディザマスクの「主走査画素数／主走査方向パス数」を掛けて求まる各ラスタの各ノズルのドット優先画素数の総和である。各ラスタの各ノズルのドット優先画素は、ドット優先画素の発生確率がノズル吐出率に比例するように設定される。
【０２８３】
図３９において、ドット優先画素には、数字の「１」のフラグを付し、画素を示すセルをグレートーンで塗りつぶした。また、非ドット優先画素には数字の「０」を付した。つまり、20×18画素のマトリクス領域における「１」を付した画素はドット優先画素オン、「０」を付した画素はドット優先画素オフであることを示している。
【０２８４】
また、図３９ではドット優先画素の配置例と共に、各ラスタを記録するノズルのノズル番号と、ノズル吐出率と、各ラスタのドット優先画素数と、を併記した。ここでの「ラスタ」とは、図３９の横方向（行方向）である主走査方向に画素が並ぶ主走査方向ラスタである。
【０２８５】
各ラスタのドット優先画素数は、該当するラスタを記録するノズルのノズル吐出率に、「ディザマスクの主走査画素数／主走査方向パス数」を乗算して求められる。ディザマスクの主走査画素数とは、ディザマスクの主走査方向の画素数をいう。図３９の例の場合、ディザマスクの主走査画素数は100画素、主走査方向パス数は「2」であるから、「ディザマスクの主走査画素数／主走査方向パス数」は50画素である。図３９に示した１行目のラスタは、ノズル番号25とノズル番号0によって主走査方向パス数「2」で記録され、ノズル番号25のノズル吐出率は1.0000であり、ノズル番号0のノズル吐出率は0.0000である。したがって、１行目のラスタの左ノズル優先画素数は、1.0000×100/2＝50.00と計算される。また、１行目のラスタの右ノズル優先画素数は、0.0000×100/2＝0.00と計算される。
【０２８６】
《ドット優先画素の設定方法の具体例》
〈ドット優先画素の設定方法の第１例〉
各ラスタの各ノズルのドット優先画素は、例えば、以下の条件式に従って設定される。
【０２８７】
［条件式１］  rand()≦ノズル吐出率
を満たす場合に限り、ドット優先画素オンとする。
【０２８８】
ただし、条件式１における「rand()」は、範囲が0以上1.0000未満の乱数である。
【０２８９】
各画素位置において、rand()関数によって0以上1.0000未満の範囲の乱数を等確率で発生させ、発生した乱数値であるrand()とノズル吐出率とを比較して、rand()がノズル吐出率以下である場合に、その画素をドット優先画素とする。
【０２９０】
条件式１に従って、ドット優先画素を定めることにより、各ノズルで記録する各ラスタにおいて、「ノズル吐出率×主走査画素数／主走査方向パス数」の数を目標個数にして乱数的に（ランダムに）ドット優先画素が設定される。
【０２９１】
なお、「ノズル吐出率×主走査画素数／主走査方向パス数」によって算出されるドット優先画素数と、条件式１に従って実際に設定されるドット優先画素の個数は必ずしも一致しない。
【０２９２】
つまり、図３９に示した各ラスタの左ノズル優先画素数は、各ラスタにおける左ノズルのドット優先画素の目標個数であり、上述のように計算によって予め求めることができる。図３９に示した各ラスタの右ノズル優先画素数は、各ラスタにおける右ノズルのドット優先画素の目標個数であり、上述のように計算によって予め求めることができる。ただし、実際に設定されるドット優先画素の個数は、乱数の値次第で変わりうる。
【０２９３】
〈ドット優先画素の設定方法の第２例〉
条件式１を用いる以外にも、ドット優先画素を乱数的に設定する方法には種々の方法がある。例えば、まず各ノズルで記録する各ラスタにおいて設定する優先画素数を整数値で求め、次に「rand()RAND_MAX % 記録画素数」で求まる番号の画素に、１番目のドット優先画素を設定する。ここで「記録画素数」とは、各ラスタにおいて各ノズルが記録を担当する画素の数であり「主走査画素数／主走査方向パス数」に等しい。rand()RAND_MAXは、範囲0以上RAND_MAX未満の整数の乱数である。「RAND_MAX」は、少なくとも記録画素数よりも大きい整数である。例えば、RAND_MAX＝65536とすることができる。「％」は剰余演算子である。a％bは、aをｂで割った余りを表す。つまり、rand()RAND_MAX % 記録画素数は、範囲0以上RAND_MAX未満の整数の乱数を「記録画素数」で割った余りの数である。この演算により、0以上「記録画素数−１」以下の範囲の整数を等確率で得ることができる。図３９の例では「記録画素数＝50」である。
【０２９４】
0から49の整数を50画素の画素番号に対応付けて、「rand()RAND_MAX % 記録画素数」で求まる整数に対応する画素番号を１番目のドット優先画素とする。
【０２９５】
次に、１番目のドット優先画素を除いて、rand()RAND_MAX %（記録画素数−1）で求まる整数に対応する番号の画素に２番目のドット優先画素を設定する。図３９の例では「記録画素数＝50」であり、0から48の整数を、１番目のドット優先画素を除いた４９画素の画素番号に対応付けて、rand()RAND_MAX %（記録画素数−1）で求まる整数に対応する画素番号を２番目のドット優先画素とする。以下同様にして、１番目と２番目のドット優先画素を除いて、rand()RAND_MAX %（記録画素数−2）で求まる整数に対応する番号の画素に３番目のドット優先画素を設定する。４番目以降も順次、同様の手順でドット優先画素数の個数だけドット優先画素を設定していくことができる。
【０２９６】
ドット優先画素の設定に際して、前の段階までに設定された閾値の画素を、当該段階におけるドット優先画素に含めてもよいし、含めなくてもよい。ドット優先画素の設定において、前の段階までに設定された閾値の画素を考慮する場合、既述した第２例による設定方法では、当該段階におけるドット優先画素の候補となる画素から前の段階までに設定された閾値の画素を除くと共にドット優先画素数から閾値の個数を除いておく。
【０２９７】
ドット優先画素の設定方法に関して、第１例及び第２例では、rand()関数を用いる例を示したが、ドット優先画素を乱数的に設定する方法にも種々の方法があり、rand()関数を用いる形態に限定されない。
【０２９８】
〈ドット優先画素の設定方法の第３例〉
また、ドット優先画素の設定方法は、乱数的に設定する方法に限らず、規則的な間隔で設定する方法もあり得る。以下に規則的な間隔でドット優先画素を設定する方法の例を説明する。
【０２９９】
例えば、各ラスタにおける各ノズルの吐出画素間隔を１として、「１/ノズル吐出率」
を規則的な間隔と定め、「１／ノズル吐出率」の整数倍の値を整数値に丸めた番号の画素にドット優先画素を設定してもよい。吐出画素間隔とは、各ラスタにおける各ノズルの吐出の間隔であり、主走査方向パス数が１ならば１画素、主走査方向パス数が２ならば２画素に相当する。
【０３００】
図３９の例に当てはめて説明する。図３９において、例えば２行目のラスタの左ノズルについてはノズル吐出率が0.8462であるため、１／0.8462＝1.1818の整数倍の値を整数値に丸めた番号の画素にドット優先画素を設定することになる。ここで図３９では、主走査方向パス数が２であるため、吐出画素間隔の「１」とは２画素に相当する。したがって、整数値の丸め方を四捨五入とした場合、左端画素を１番目として１、３、７、９番目・・・の画素（それぞれ1.1818、2.3636、3.5453、4.7270、5.909、・・・を整数値に丸めた1、2、4、5、6・・・に相当する番号の画素）にドット優先画素を設定することとなる。また、２行目のラスタの右ノズルについてはノズル吐出率が1.0000であるため、１／1.0000＝1.0000の整数倍の値を整数値に丸めた番号の画素にドット優先画素を設定することになる。つまり、整数値の丸め方を四捨五入とした場合、2、4、6、8番目・・・の画素（それぞれ1.0000、2.0000、3.0000、4.00000、・・・を整数値に丸めた1、2、3、4・・・に相当する番号の画素）にドット優先画素を設定することになる。
【０３０１】
上述の第１例から第３例で説明した方法などを用いて、図３７のステップＳ１８にてドット優先画素を設定した後、ステップＳ２０に進む。
【０３０２】
ステップＳ２０では、ディザマスクの全画素のうち、閾値未設定かつドット優先画素の画素に閾値を仮設定し、粒状性を評価する。粒状性評価の指標は、例えば、ＲＭＳ（Root
Mean Square）粒状度など、公知の指標を用いることができる。ＲＭＳ粒状度は、ＶＴＦ（Visual Transfer Function）など人間の視覚特性を考慮したぼかしフィルタをドット配置に掛けた上で算出した標準偏差である。
【０３０３】
ステップＳ２０における粒状性の評価結果はメモリ等に記憶しておき、ステップＳ２２に進む。ステップＳ２２では、閾値を設定する画素の候補である全候補画素についてステップＳ２０の粒状性の評価を完了したか否かの判定を行う。全候補画素とは、ステップＳ２０で閾値を仮設定し得る閾値未設定かつドット優先画素の集合である。
【０３０４】
ステップＳ２２にて、粒状性未評価の候補画素が存在する場合は、ステップＳ２２の判定がＮｏ判定となり、ステップＳ２０に戻る。すなわち、閾値未設定かつドット優先画素である候補画素の範囲で閾値を仮設定する画素を変えて、ステップＳ２０の処理を繰り返す。
【０３０５】
全候補画素についてステップＳ２０の粒状性評価の処理が完了すると、ステップＳ２２の判定がＹｅｓ判定となり、ステップＳ２４に進む。
【０３０６】
ステップＳ２４では、全候補画素についてそれぞれ粒状性を評価した結果を基に、粒状性が最良の画素に閾値を設定する。ステップＳ２４の工程が「閾値設定工程」の一形態に相当する。
【０３０７】
次いで、ステップＳ２６では所定個数の閾値の設定を完了したか否かの判定を行う。ここでいう「所定個数」は、同じ段階のノズル吐出率の設定の下で設定する閾値の個数として予め定められた規定値である。図３７に示したフローチャートにおける「所定個数」は、ステップＳ１８で設定された全ドット優先画素数よりも少ない数、例えば、全ドット優先画素数×０．８とする。仮に、所定個数を全ドット優先画素数に等しく設定すると所定個数付近で粒状性が悪化する懸念がある。所定個数を全ドット優先画素数より少ない数に設定することにより、粒状悪化を低減することができる。ただし、所定個数を過剰に少なく設定し過ぎると、ノズル列における端部ノズルの吐出率を抑える性能は低下することとなる。したがって、所定個数の設定に際しては、粒状悪化の低減と、端部ノズルの吐出率を抑える性能との両立の観点から適切な値に設定することが好ましい。例えば、所定個数は全ドット優先画素数の０．６倍以上０．９倍以下の範囲とし、より好ましくは、０．７倍以上０.８倍以下の範囲とする。
【０３０８】
ステップＳ２６にて、所定個数の閾値の設定が未完了である場合には、ステップＳ２０に戻る。一方、ステップＳ２６にて、所定個数の閾値の設定が完了すると、ステップＳ２８に進む。
【０３０９】
ステップＳ２８では、全段階の処理が完了したか否かの判定を行う。ノズル吐出率の段階Ｑについて、全段階の処理が完了していなければ、段階Ｑの値に１を加え、段階Ｑの値を「Ｑ＋１」に変更して（ステップＳ３０）、ステップＳ１４に戻る。
【０３１０】
ステップＳ３０にて変更された次の段階のノズル吐出率に設定を変更して、上述の処理ループ（ステップＳ１４からステップＳ２８）を繰り返す。なお、ステップＳ１６で説明したノズルパターンについては、前回と同じ設定を利用できるため、ステップＳ１６の処理は省略することができる。
【０３１１】
ステップＳ３０を経て、前回と異なる段階のノズル吐出率の設定の下で、新たにステップＳ１８でドット優先画素が設定される工程が「ドット優先画素を変更する工程」の一形態に相当する。
【０３１２】
ステップＳ３０を経てステップＳ１４からステップＳ２８のループが繰り返されることにより、ステップＳ１４のノズル吐出率工程により設定されるノズルごとのノズル吐出率は、ステップＳ２６の所定個数の閾値に対応する閾値の個数に相当する閾値領域に応じて（つまり、ステップＳ２４にて設定する閾値の値によって）、少なくとも２段階の複数段階に設定が変更される。
【０３１３】
また、ステップＳ１８で一旦設定されたドット優先画素の全てに閾値が設定される前に、つまり、ドット優先画素数よりも少ない所定個数の閾値の設定が完了した際に、ステップＳ３０を経て新たにステップＳ１８にて別のドット優先画素の設定に変更されている。
【０３１４】
こうして、全ての段階について、同様の処理が行われ、各閾値が設定される。ステップＳ２８にて全段階で処理が完了すると、図３７のフローチャートを終了する。
【０３１５】
なお、ステップＳ２８に関して、最後の段階は全ノズルのノズル吐出率が「1.0」に設定され、全画素にドット優先画素を設定し、かつステップＳ２６における「所定個数」に全画素数を設定する。
【０３１６】
図３７に示したフローチャートに代えて、最後の段階のみ閾値設定を別ループにしドット優先画素の設定及び判断を省いてもよい。つまり、最後の段階において全ノズルのノズル吐出率を全て「1.00」に設定する場合、敢えて各ノズルのノズル吐出率を「1.00」に設定し、全画素をドット優先画素に設定するという処理を実施せずに、単に、ノズル吐出率の設定やドット優先画素の設定を除き、ドット優先画素の判断もしない別の処理ループを実施する構成を採用してもよい。
【０３１７】
このような別の処理ループを採用する場合も、実質的に、全ノズルのノズル吐出率を「1.00」に設定し、全画素をドット優先画素に設定して処理を行うことと同等であり、別の処理ループへの移行は、「複数段階」における「最後の段階」の設定の一形態に相当する。
【０３１８】
図３７で説明したフローチャートは、ディザマスクに設定する全閾値のうちの一部の閾値の設定に関して適用される。つまり、一旦設定したドット優先画素を変更する処理は、全閾値のうち少なくとも一部の閾値の設定に関して適用される。
【０３１９】
図３７のフローチャートによれば、設定される閾値の増加と共に、ノズル吐出率（つまり優先画素設定率）に従って、各ノズルの吐出の相対的な比率を概ね保ちながら、各ノズルのノズル絶対吐出率を増加させることができる。なお、ここでいう「各ノズルの吐出の相対的な比率」は、ノズル吐出率に従うものの、完全に等しくできるわけはない。
【０３２０】
ディザマスクＢを生成する場合には、図３８に示したＱ＝１、及びＱ＝２のノズル吐出率に代えて、図４０に示すＱ＝１、及びＱ＝２のノズル吐出率を適用する。図４０のＱ＝１として示したノズル吐出率は、図２１の一点鎖線で表されたグラフＧ２に相当する。
【０３２１】
図４０に示すノズル吐出率を反映させてディザマスクＢを生成する場合、デューティ83％まではＱ＝１のノズル吐出率を適用して閾値設定を行い、その後、デューティ100％まで、Ｑ＝２のノズル吐出率を適用して閾値設定を行う。
【０３２２】
ディザマスクＣを生成する場合には、各ノズル吐出率を設定せずに、ボイドアンドクラスタ法など公知の手法を用いて、公知のブルーノイズマスクを生成すればよい。ボイドアンドクラスタ法については、例えば、Robert A. Ulichney “Void-and-cluster method for dither array generation”, Proc. SPIE 1913, Human Vision, Visual Processing, and Digital Display IV, 332 (September 8, 1993) に記載されている。
【０３２３】
〈ディザマスク生成装置の構成〉
図４１は、ディザマスク生成装置の機能を示すブロック図である。ディザマスク生成装置１５０は、ノズル吐出率設定部１５２と、ノズルパターン設定部１５４と、ドット優先画素設定部１５６と、閾値設定部１５８と、を備える。また、ディザマスク生成装置１５０は、走査パターン情報取得部１６０と、段階切替部１６２と、閾値個数判定部１６４とを有する。これらの各部は集積回路などのハードウェア回路、又は、コンピュータのハードウェア及びソフトウェア、若しくはこれらの適宜の組み合わせによって実現することができる。また、ディザマスク生成装置１５０の機能は、図５で説明した制御装置１０２に搭載してもよい。
【０３２４】
図４１に示したノズル吐出率設定部１５２は、記録ヘッド２４Ａ（図８参照）における各ノズル６２のノズル吐出率を設定する処理を行う。ノズル吐出率設定部１５２は、図３８及び図４０で例示したように、予め用意されているノズル吐出率の段階に従って、各ノズルのノズル吐出率を設定する。ノズル吐出率設定部１５２は、図３７のステップＳ１４で説明した処理を行う。ノズル吐出率設定部１５２は優先画素設定率設定部の一形態に相当する。
【０３２５】
図４１に示した段階切替部１６２は、ノズル吐出率設定部１５２で設定するノズル吐出率の段階の指定を行う。段階切替部１６２は、図３７のステップＳ３０で説明した処理を行う。ノズル吐出率設定部１５２は、段階切替部１６２により指定された段階のノズル吐出率を設定する。
【０３２６】
ノズルパターン設定部１５４は、走査パターン情報取得部１６０から得られる走査パターンの情報に基づき、ディザマスク１６６の各画素に対応するノズルを特定する処理を行う。すなわち、ノズルパターン設定部１５４は、ディザマスク１６６の各画素について、それぞれの画素位置の記録を担当する少なくとも１つのノズルを対応付ける処理を行う。
【０３２７】
走査パターン情報取得部１６０は、走査パターンプログラムなどから作画モードに応じた走査パターンの情報を取得する。前述の通り、走査パターンプログラムは、副走査方向に間欠搬送される記録媒体１２に対する記録ヘッド２４の主走査方向の往復走査やパス数を規定しているため、走査パターンプログラムから記録ヘッド２４の走査パターンを判別することが可能である。
【０３２８】
ノズルパターン設定部１５４は、記録媒体１２に対して記録ヘッド２４を主走査方向及び副走査方向に相対移動させる際の走査パターンを判別する。ノズルパターン設定部１５４は、走査パターンに基づき、ディザマスク１６６の各画素を、記録ヘッド２４のどのノズル６２で記録するのかを決定する処理を行う。ノズルパターン設定部１５４は、ディザマスク１６６の各画素と、それぞれの画素の記録を担うノズルとの対応関係を示すノズルパターンのデータであるノズルパターンデータ１６８を生成する。ノズルパターンデータ１６８は、例えば、図１１で説明したノズルパターンのデータから生成される。ノズルパターン設定部１５４は、図３７のステップＳ１６で説明した処理を行う。
【０３２９】
ノズルパターンデータ１６８を生成する方法は、走査パターンプログラムに基づき決定する方法に限られず、各種方法を用いることができる。ノズルパターンデータ１６８は、作画モードとディザマスク１６６のサイズや並べ方によって決定できるため、予め複数種類の作画モードのそれぞれに対応したノズルパターンデータをメモリ等の情報記憶部に保持しておくことができる。
【０３３０】
ドット優先画素設定部１５６は、ノズル吐出率データ１７０とノズルパターンデータ１６８を基に、ドット優先画素を設定する処理を行う。また、ドット優先画素設定部１５６は、一旦設定したドット優先画素の全てに閾値が設定される前に、ドット優先画素を変更する処理を行う。一旦設定したドット優先画素の全てに閾値が設定される前に、ドット優先画素を変更するとは、すなわち、一旦設定したドット優先画素のうち少なくとも一部の画素が閾値未設定の画素である状態で、ドット優先画素を変更することを意味する。ドット優先画素設定部１５６は、図３７のステップＳ１８で説明した処理を行う。
【０３３１】
閾値設定部１５８は、閾値未設定の画素を含むディザマスク１６６を準備し、かつ、ディザマスク１６６の閾値未設定の画素に、閾値を設定する処理を行う。閾値設定部１５８は、図３７のステップＳ２０からステップＳ２４で説明した処理を行う。閾値設定部１５８によって、ディザマスク１６６の全画素の閾値が設定されることにより、生成目標であるディザマスク１６６が完成する。
【０３３２】
閾値個数判定部１６４は、閾値設定部１５８により設定される閾値の個数を管理し、予め定められている所定個数の閾値設定が完了したか否かの判定を行う。閾値個数判定部１６４は、図３７のステップＳ２６で説明した処理を行う。
【０３３３】
閾値個数判定部１６４の判定結果は、ドット優先画素設定部１５６に通知される。ドット優先画素設定部１５６は、閾値個数判定部１６４から得られる情報を基に、ドット優先画素を変更する処理を行う。
【０３３４】
また、閾値個数判定部１６４の判定結果は、段階切替部１６２に通知される。段階切替部１６２は、閾値個数判定部１６４から得られる情報を基に、ノズル吐出率の段階を変更する処理を行う。
【０３３５】
ノズル吐出率設定部１５２の機能は優先画素設定率設定機能の一形態に相当する。ノズルパターン設定部１５４の機能はノズルパターン設定機能の一形態に相当する。ドット優先画素設定部１５６の機能はドット優先画素設定機能とドット優先画素を変更する機能の一形態に相当する。閾値設定部１５８の機能は閾値設定機能の一形態に相当する。
【０３３６】
〈本開示によるディザマクス生成方法の概要〉
上記に例示した本開示によるディザマスク生成方法の概要をまとめると、次のとおりである。すなわち、本開示に係るディザマスク生成方法は、ディザマスクの各画素とそれぞれの画素位置の記録を担当するノズルとの対応関係を表すノズルパターンを設定するノズルパターン設定工程と、ディザマスクの画素のうち閾値を設定する画素の候補となるドット優先画素を設定するドット優先画素設定工程と、ドット優先画素に属する画素に閾値を設定する閾値設定工程と、少なくとも一部の閾値に関して、ドット優先画素設定工程により一旦設定されたドット優先画素の全てに閾値が設定される前に、ドット優先画素を変更する工程と、を含むディザマスク生成方法である。
【０３３７】
このディザマスク生成方法によれば、ディザマスクに閾値を設定する際に、ノズルパターンを反映させてドット優先画素を設定し、ドット優先画素に属する画素に閾値を設定する。そして、一旦設定したドット優先画素の全てに閾値を設定する前に、ドット優先画素を変更し、変更後のドット優先画素に属する画素に対して閾値の設定が行われる。このようにドット優先画素を変更して閾値の設定を行うことにより、閾値配置の制約が緩和され、粒状性が良好なディザマスクを生成することができる。
【０３３８】
「一旦設定されたドット優先画素の全てに閾値が設定される前に、ドット優先画素を変更する」とは、すなわち、一旦設定されたドット優先画素のうち少なくとも一部の画素が閾値未設定である状態でドット優先画素を変更することを意味する。
【０３３９】
また、上記のディザマスク生成方法において、ディザマスクの画素のうち複数のノズルのそれぞれが記録を担当する画素としてノズルごとに割り当てられる記録担当画素におけるドット優先画素の割合を表す優先画素設定率を設定する優先画素設定率設定工程を有し、ドット優先画素設定工程は、ノズルパターンとノズルごとの優先画素設定率とに基づき、ドット優先画素を設定する構成とすることができる。
【０３４０】
「優先画素設定率」は、ノズルごとに割り当てられる記録担当画素におけるドット優先画素の割合を表す比率又は個数とすることができる。優先画素設定率を比率で表す場合には、例えば、記録担当画素の個数（つまり、記録担当画素数）を分母とし、ドット優先画素の個数（つまりドット優先画素数）を分子とする割り算の商、すなわち、「ドット優先画素数／記録担当画素数」で定義することができる。もちろん、比率は百分率で定義することもできる。また、優先画素設定率は、ドット優先画素の個数で定義することもできる。ノズルパターンを基に、ディザマスクの画素における各ノズルの記録担当画素の個数は特定できるため、各ノズルのドット優先画素の個数は、記録担当画素におけるドット優先画素の割合を表す情報に相当する。
【０３４１】
優先画素設定率は、目標とするノズル吐出率を基に定めることができる。既に説明したノズル吐出率の設計方法に従って設計されたノズル吐出率を優先画素設定率として用いることができる。各ノズルの優先画素設定率については、バンディング抑制効果を得る観点から適宜設定することができる。バンディングを抑制する優先画素設定率は、ノズルの配列形態その他の記録ヘッドの特性や作画条件などに応じて定めることができる。
【０３４２】
〈ディザマスク生成方法の他の例〉
制御目標とするノズル吐出率を基にディザマスクを生成する方法は、上述の方法に限らない。例えば、特開２０１６−１０７６０３号公報に記載されている方法によってディザマスクを生成してもよい。特開２０１６−１０７６０３号公報に記載されている方法は、ディザマスクの閾値を設定する際の評価指標にノズル吐出率を反映させる方法である。
【０３４３】
制御目標とする各ノズルのノズル吐出率が与えられた場合に、そのノズル吐出率を実現し得るドット配置が得られるディザマクスの生成方法については、公知の方法を含め様々な方法を適用することができる。
【０３４４】
《ディザマスクのセットについて》
本実施形態に用いられる複数種類のディザマスクの各々は、少なくとも一部のデューティの範囲について、予め定められた特定のノズル吐出率を実現するドット配置が得られるよう閾値の設定がなされている。ディザマスクの種類ごとに、実現されるノズル吐出率が異なる。
【０３４５】
図３８及び図４０に示した例では、少なくともＱ＝１に示したノズル吐出率を適用して閾値の設定を行った中間調のデューティ範囲において、制御目標である特定のノズル吐出率となるドット配置が得られるように閾値が設定されている。ディザマスクを生成する際の制御目標に用いたノズル吐出率が「予め定められた特定のノズル吐出率」に相当する。
【０３４６】
図３３に例示したディザマクスＡ、ディザマスクＢ及びディザマスクＣの組み合わせは「ディザマスクのセット」の一例に相当する。また、ディザマスクＡ、ディザマスクＢ及びディザマスクＣのうち、いずれか２つのディザマスクの組み合わせは「ディザマスクのセット」の一例に相当する。
【０３４７】
なお、実現されるノズル吐出率が同じとしても種々の方法で異なるディザマスクを生成し得る。例えば、図３６に示したディザマスク生成方法においてステップＳ１の初期ドット配置のデューティ（初期デューティ）を変更したり、同じ初期デューティでも初期ドット配置を変更すると異なるディザマスクが生成される。またステップＳ３の昇順の閾値設定工程においてドット優先画素の設定方法や粒状性の評価方法を変更すると異なるディザマスクが生成される。またディザマスクのサイズを変更すれば当然異なるディザマスクが生成される。また、あるディザマスクを主走査方向及び／又は副走査方向にシフトしてもそのディザマスクとは異なるディザマスクが生成される。
【０３４８】
本発明では少なくとも一部のデューティの範囲について実現されるノズル吐出率が異なる各々のディザマスクを異なる種類のディザマスクと見做す一方で、上記の様な種々の異なるディザマスクについては、実現されるノズル吐出率が同じである限り、同じ種類のディザマスクと見做す。例えば、図３３に例示したディザマスクＡをブラックの画像データに対して用い、ディザマスクＢをシアンとマゼンタの画像データに対して用い、ディザマスクＣをイエローの画像データに対して用いてハーフトーン処理を行う場合、シアンのハーフトーン処理に用いられるディザマスクとマゼンタのハーフトーン処理に用いられるディザマスクとは、それぞれの色のドット配置の重なりを防ぐために異なるディザマスクであることが望ましく、例えばシアンのハーフトーン処理に用いられるディザマスクを主走査方向及び／又は副走査方向にシフトしたディザマスクを用いてマゼンタのハーフトーン処理を行うことが望ましいが、この様にシアンのハーフトーン処理に用いられるディザマスクとマゼンタのハーフトーン処理に用いられるディザマスクが異なる場合でも、それぞれのディザマスクで実現されるノズル吐出率は同じため、本発明では同じ種類のディザマスク（ディザマスクＢ）と見做す。
【０３４９】
《実施形態の利点》
本実施形態によれば、バンディングへの寄与が相対的に大きい濃度の濃い色若しくは彩度の低い色については端部ノズルの吐出率を中央部ノズルの吐出率よりも低く抑えたノズル吐出率を反映したディザマスクを用いてハーフトーン処理を行う一方、バンディングへの寄与が相対的に小さく、色ムラへの寄与が相対的に大きい濃度の薄い有彩色若しくは彩度の高い色については、より均一に近いノズル吐出率を反映したディザマスクを用いてハーフトーン処理を行う。バンディングへの寄与が相対的に大きい色とは、バンディングの視認性が高い色を意味する。色ムラへの寄与が相対的に大きい色とは、色ムラの視認性が高い色を意味する。
【０３５０】
本実施形態によれば、制御目標とするノズル吐出率を反映したハーフトーン処理結果を得て、そのハーフトーン処理結果を基に各ノズルの吐出制御を行うことができるため、生産性を落とすことなく、バンディングを抑制しつつ、色ムラの発生を抑制することができる。
【０３５１】
《変形例１》
図３３に示した画像処理装置２００の構成に代えて、図４２に示す画像処理装置２００Ａの構成を採用してもよい。図４２において図３３に示した構成と同一又は類似する要素には同一の符号を付し、その説明は省略する。
【０３５２】
図４２の画像処理装置２００Ａにおけるハーフトーン処理部２０６は、第１ハーフトーン処理部２２１と、第２ハーフトーン処理部２２２と、第３ハーフトーン処理部２２３とを含む。第１ハーフトーン処理部２２１は、ブラック（Ｋ）の画像データに対して、ディザマスクＡを用いてハーフトーン処理を行う。第２ハーフトーン処理部２２２は、シアン（Ｃ）及びマゼンタ（Ｍ）の各色の画像データに対して、ディザマスクＢを用いてハーフトーン処理を行う。第３ハーフトーン処理部２２３は、イエロー（Ｙ）の画像データに対してディザマスクＣを用いてハーフトーン処理を行う。
【０３５３】
ブラックを「第１の色」とし、シアン及びマゼンタのそれぞれを「第２の色」とする場合には、ディザマスクＡが「第１のディザマスク」に相当し、第１ハーフトーン処理部２２１が「第１のハーフトーン処理部」に相当し、ディザマスクＢが「第２のディザマスク」に相当し、第２ハーフトーン処理部２２２が「第２のハーフトーン処理部」に相当する。
【０３５４】
或いは、シアン及びマゼンタのそれぞれを「第１の色」とし、イエローを「第２の色」とする場合には、ディザマスクＢが「第１のディザマスク」に相当し、第２ハーフトーン処理部２２２が「第１のハーフトーン処理部」に相当し、ディザマスクＣが「第２のディザマスク」に相当し、第３ハーフトーン処理部２２３が「第２のハーフトーン処理部」に相当する。
【０３５５】
或いは、ブラックを「第１の色」とし、イエローを「第２の色」とする場合には、ディザマスクＡが「第１のディザマスク」に相当し、第１ハーフトーン処理部２２１が「第１のハーフトーン処理部」に相当し、ディザマスクＣが「第２のディザマスク」に相当し、第３ハーフトーン処理部２２３が「第２のハーフトーン処理部」に相当する。
【０３５６】
ハーフトーン処理部２０６に、ディザマスクＡ、ディザマスクＢ及びディザマスクＣのデータを保持しておく構成は、複数種類のディザマクスを用意しておく工程の一例に相当する。なお、既に説明した通り、本発明では少なくとも一部のデューティの範囲について実現されるノズル吐出率が異なる各々のディザマスクを異なる種類のディザマスクと見做している。つまり、本実施形態でシアンのハーフトーン処理に用いられるディザマスクとマゼンタのハーフトーン処理に用いられるディザマスクとは、それぞれの色のドット配置の重なりを防ぐために異なるディザマスクであることが望ましいが、それぞれのディザマスクで実現されるノズル吐出率は同じため同じ種類のディザマスク（ディザマスクＢ）と見做している。
【０３５７】
《変形例２》
シアンとマゼンタのうちの１色には、ディザマクスＡを用いてハーフトーン処理を行い、他の１色にディザマスクＢを用いてハーフトーン処理を行ってもよい。
【０３５８】
《変形例３》
ＣＭＹＫの４色に加えて、ライトシアン（ＬＣ）とライトマゼンタ（ＬＭ）を含む６色のインクを用いてカラー画像を記録するインクジェット記録装置の場合、ライトシアンとライトマゼンタの各色の画像データに対して、ディザマスクＢを用いてハーフトーン処理を行う。
【０３５９】
《変形例４》
上述の実施形態では、図２１のグラフＧ１、Ｇ２及びＧ３の３種類のノズル吐出率の各々に対応したディザマスクＡ、ディザマスクＢ及びディザマスクＣの中から、色種に対応したディザマスクを選択する構成を例示したが、ノズル吐出率の異なるディザマクスの種類を２種類とし、その中から色種に対応したディザマスクを選択する構成としてもよい。例えばブラックだけ不均一なノズル吐出率（図２１のグラフＧ１）に対応したディザマスクを選択し、シアン、マゼンタ及びイエローについては均一なノズル吐出率（図２１のグラフＧ３）に対応したディザマスクを選択してもよい。または、３種類より多くの種類のノズル吐出率に対応した複数種類のディザマスクを生成し、色種に対応したディザマスクを選択して適用する構成としてもよい。例えばブラック、シアン、マゼンタ及びイエローの各色のノズル吐出率をそれぞれ異ならせてもよい。まとめると、ノズル吐出率の異なるディザマクスの種類は２種類以上であればよく、その中から色種に対応したディザマスクを選択する構成としてもよい。なお、既に説明した通り、本発明では少なくとも一部のデューティの範囲について実現されるノズル吐出率が異なる各々のディザマスクを異なる種類のディザマスクと見做している。つまり、異なるディザマスクであっても、実現されるノズル吐出率が同じ場合には同じ種類のディザマスクと見做している。例えば、上述した様にブラックだけ不均一なノズル吐出率に対応したディザマスクを選択し、シアン、マゼンタ及びイエローについては均一なノズル吐出率に対応したディザマスクを選択する場合、シアン、マゼンタ及びイエローについて選択されるディザマスクは、それぞれの色のドット配置の重なりを防ぐため、それぞれ異なるディザマスクであることが望ましいが、全て同じ均一なノズル吐出率が実現されるため、同じ種類のディザマスクと見做している。
【０３６０】
《変形例５》
これまでＣＭＹＫの４色の具体例を説明したが、２色以上任意の色の組み合わせによる複数色の画像データを取り扱う構成とすることができる。例えば、ブラックを省略したＣＭＹの３色のみの構成であってもよい。
【０３６１】
《変形例６》
色種ごとに、どの程度、端部ノズルの吐出率を抑えたディザマスクを用いればよいかは、それぞれの色で実際に記録媒体上に印刷した際の色（濃度、彩度、及び色相）に依るが、色ムラやバンディングの視認性には、その色だけでなく、ドット形状やドットサイズ、着弾干渉、及び記録媒体への浸透の仕方など、複数の要因が複雑に影響することから、実験的に適切なノズル吐出率のディザマスクを決定することが望ましい。
【０３６２】
例えば、複数種類のノズル吐出率の各々に対応した複数種類のディザマスクを予め生成しておき、実際に各色の１次色、２次色、及び３次色などで印刷して、色ムラとバンディングの視認性を評価して、適切なディザマスクを決定することが望ましい。
【０３６３】
例えば、シアン、マゼンタ、イエロー、ライトシアン及びライトマセンタの各色のノズル吐出率は、実験的に決定される。候補となる複数種類のノズル吐出率のディザマスクを予め生成しおき、各色にそれぞれのディザマスクの組み合わせを適用して実際に１次色、２次色、及び３次色などのテスト印刷を行い、印刷結果について色ムラとバンディングの視認性を評価して、色ムラ及びバンディングが共に良好となるディザマスクの組み合わせ（つまり、ノズル吐出率の組み合わせ）を採用する。
【０３６４】
ここで、各色のノズル吐出率は全て異なるわけではなく、一部の色について同じノズル吐出率となる組合せを採用する場合もある。例えば、シアンとマゼンタ、またライトシアンとライトマゼンタについて同じノズル吐出率となる組み合わせを採用する場合もある。この場合、例えばシアンとマゼンタ、またライトシアンとライトマゼンタについて、それぞれ同じノズル吐出率を実現するディザマスクを採用する場合であっても、それぞれの色のドット配置の重なりを防ぐため、それぞれ異なるディザマスクであることが望ましい。そのために、候補となる複数種類のノズル吐出率の各々に対応して、ノズル吐出率は同じだが、異なる複数のディザマスクを予め生成しておくと共に、各色にそれぞれのディザマスクの組み合わせを適用する際に、同じノズル吐出率の色であっても異なるディザマスクを適用することが望ましい。
【０３６５】
《変形例７》
上述の実施形態では、画像記録装置の一例であるインクジェット記録装置として、紫外線硬化型インクを用いるワイドフォーマットプリンタを例に挙げて説明を行ったが、紫外線硬化型インクを用いるものに限らず、様々な種類のインクを用いて記録媒体に画像を記録する各種のインクジェット記録装置に本発明を適用することができる。
【０３６６】
主走査動作及び副走査動作について、主走査方向及び副走査方向のそれぞれの方向について、記録媒体と記録ヘッドの相対移動が行われればよく、記録媒体を主走査方向に移動させて主走査動作を実施してもよいし、また、記録ヘッドを副走査方向に移動させて副走査動作を実施してもよい。
【０３６７】
〈各処理部及び制御部のハードウェア構成について〉
図５で説明した制御装置１０２の記録媒体搬送制御部１０４、キャリッジ駆動制御部１０６、光源制御部１０８、画像処理部１１０、吐出制御部１１２、及び情報記憶部１２４、並びに、図３３で説明した画像処理装置２００の色変換部２０４、ハーフトーン処理部２０６、及びディザマスク選択部２０８、並びに、図４１で説明したディザマスク生成装置１５０のノズル吐出率設定部１５２、ノズルパターン設定部１５４、ドット優先画素設定部１５６、閾値設定部１５８、走査パターン情報取得部１６０、段階切替部１６２、及び閾値個数判定部１６４、並びに、図４２で説明した画像処理装置２００Ａの第１ハーフトーン処理部２２１、第２ハーフトーン処理部２２２及び第３ハーフトーン処理部２２３などの各種の処理を実行する処理部（processing unit）のハードウェア的な構造は、次に示すような各種のプロセッサ（processor）である。
【０３６８】
各種のプロセッサには、プログラムを実行して各種の処理部として機能する汎用的なプロセッサであるＣＰＵ（Central Processing Unit）、ＦＰＧＡ（Field Programmable Gate Array）などの製造後に回路構成を変更可能なプロセッサであるプログラマブルロジックデバイス（Programmable Logic Device：ＰＬＤ）、ＡＳＩＣ（Application Specific Integrated Circuit）などの特定の処理を実行させるために専用に設計された回路構成を有するプロセッサである専用電気回路などが含まれる。
【０３６９】
１つの処理部は、これら各種のプロセッサのうちの１つで構成されていてもよいし、同種又は異種の２つ以上のプロセッサで構成されてもよい。例えば、１つの処理部は、複数のＦＰＧＡ、或いは、ＣＰＵとＦＰＧＡの組み合わせによって構成されてもよい。また、複数の処理部を１つのプロセッサで構成してもよい。複数の処理部を１つのプロセッサで構成する例としては、第一に、クライアントやサーバなどのコンピュータに代表されるように、１つ以上のＣＰＵとソフトウェアの組み合わせで１つのプロセッサを構成し、このプロセッサが複数の処理部として機能する形態がある。第二に、システムオンチップ（System On Chip：ＳｏＣ）などに代表されるように、複数の処理部を含むシステム全体の機能を１つのＩＣ（Integrated Circuit）チップで実現するプロセッサを使用する形態がある。このように、各種の処理部は、ハードウェア的な構造として、上記各種のプロセッサを１つ以上用いて構成される。
【０３７０】
更に、これらの各種のプロセッサのハードウェア的な構造は、より具体的には、半導体素子などの回路素子を組み合わせた電気回路（circuitry）である。
【０３７１】
《コンピュータを画像処理装置として機能させるプログラムについて》
上述の実施形態で説明した画像処理装置としてコンピュータを機能させるためのプログラムを光ディスクや磁気ディスクその他のコンピュータ可読媒体（有体物たる非一時的な情報記憶媒体）に記録し、情報記憶媒体を通じてプログラムを提供することが可能である。このような情報記憶媒体にプログラムを記憶させて提供する態様に代えて、インターネットなどの通信ネットワークを利用してプログラム信号をダウンロードサービスとして提供することも可能である。
【０３７２】
また、実施形態に係る画像処理装置の機能をアプリケーションサーバとして提供し、通信ネットワークを通じて処理機能を提供するサービスを行うことも可能である。
【０３７３】
更に、このプログラムをコンピュータに組み込むことにより、コンピュータに画像処理装置の各機能を実現させることができ、上述の実施形態で説明した画像処理機能を実現することができる。
【０３７４】
また、本実施形態で説明した画像処理機能を含む印刷制御を実現するためのプログラムの一部又は全部をホストコンピュータなどの上位制御装置に組み込む態様や、インクジェット記録装置側の中央演算処理装置（ＣＰＵ）の動作プログラムとして適用することも可能である。
【０３７５】
《用語について》
「画像記録装置」という用語は、印刷機、プリンタ、印字装置、印刷装置、画像形成装置、画像出力装置、或いは、描画装置などの用語の概念を含む。また、「画像記録装置」という用語は、複数の装置を組み合わせた印刷システムの概念を含む。
【０３７６】
「画像」は広義に解釈するものとし、カラー画像、白黒画像、単一色画像、グラデーション画像、均一濃度（ベタ）画像なども含まれる。「画像」は、写真画像に限らず、図柄、文字、記号、線画、モザイクパターン、色の塗り分け模様、その他の各種パターン、若しくはこれらの適宜の組み合わせを含む包括的な用語として用いる。
【０３７７】
本明細書における「直交」又は「垂直」という用語には、９０°未満の角度、又は９０°を超える角度をなして交差する態様のうち、実質的に９０°の角度をなして交差する場合と同様の作用効果を発生させる態様が含まれる。本明細書における「平行」という用語には、厳密には非平行である態様のうち、平行である場合と概ね同様の作用効果が得られる実質的に平行とみなし得る態様が含まれる。
【０３７８】
《実施形態及び変形例等の組み合わせについて》
上述の実施形態で説明した構成や変形例で説明した事項は、適宜組み合わせて用いることができ、また、一部の事項を置き換えることもできる。
【０３７９】
［その他］
上記の実施形態では、濃度変化によるバンディング、スジ若しくはムラを抑制することを目的としたが、インクジェット記録装置においては光沢変化によるバンディング、スジ若しくはムラも同様に生じ、本課題に対しても本発明は有効である。また、同様にドットパターンの変化によるバンディング、スジ若しくはムラに対しても本発明は有効である。
【０３８０】
以上説明した本発明の実施形態は、本発明の趣旨を逸脱しない範囲で、適宜構成要件を変更、追加、又は削除することが可能である。本発明は以上説明した実施形態に限定されるものではなく、本発明の技術的思想内で同等関連分野の通常の知識を有する者により、多くの変形が可能である。
【符号の説明】
【０３８１】
１０  インクジェット記録装置
１２  記録媒体
２０  装置本体
２２  支持脚
２４、２４Ａ  記録ヘッド
２４Ｃ、２４Ｍ、２４Ｙ、２４Ｋ  ヘッドモジュール
２６  プラテン
２８  ガイド機構
３０  キャリッジ
３２Ａ、３２Ｂ  仮硬化光源
３４Ａ、３４Ｂ  本硬化光源
３６  インクカートリッジ
３８  取り付け部
４０  ニップローラ
４２  供給側のロール
４４  巻取ロール
４６  ガイド
５０  温調部
５２  プレ温調部
５４  アフター温調部
６１、６１Ａ  ノズル列
６１Ｃ、６１Ｍ、６１Ｙ、６１Ｋ  ノズル列
６２  ノズル
１０２  制御装置
１０４  記録媒体搬送制御部
１０６  キャリッジ駆動制御部
１０８  光源制御部
１１０  画像処理部
１１２  吐出制御部
１１４  搬送駆動部
１１６  主走査駆動部
１１８  光源駆動回路
１１９  光源駆動回路
１２０  表示装置
１２２  入力装置
１２４  情報記憶部
１２６  画像入力インターフェース
１２８  ヘッド駆動回路
１３０  エンコーダ
１３２  センサ
１５０  ディザマスク生成装置
１５２  ノズル吐出率設定部
１５４  ノズルパターン設定部
１５６  ドット優先画素設定部
１５８  閾値設定部
１６０  走査パターン情報取得部
１６２  段階切替部
１６４  閾値個数判定部
１６６  ディザマスク
１６８  ノズルパターンデータ
１７０  ノズル吐出率データ
２００、２００Ａ  画像処理装置
２０２  画像データ取得部
２０４  色変換部
２０６  ハーフトーン処理部
２０８  ディザマスク選択部
２１０  ディザマスク記憶部
２１２  データ出力部
２２１  第１ハーフトーン処理部
２２２  第２ハーフトーン処理部
２２３  第３ハーフトーン処理部
Ｓ１〜Ｓ３  ディザマスク生成方法のステップ
Ｓ１２〜Ｓ３０  閾値設定処理のステップ
Ｓ１０２〜Ｓ１０８  画像処理方法のステップ
Ｓ１２０〜Ｓ１２６  ハーフトーン処理のステップ
【図１】
2018235386.tif 000003
【図２】
2018235386.tif 000004
【図３】
2018235386.tif 000005
【図４】
2018235386.tif 000006
【図５】
2018235386.tif 000007
【図６】
2018235386.tif 000008
【図７】
2018235386.tif 000009
【図８】
2018235386.tif 000010
【図９】
2018235386.tif 000011
【図１０】
2018235386.tif 000012
【図１１】
2018235386.tif 000013
【図１２】
2018235386.tif 000014
【図１３】
2018235386.tif 000015
【図１４】
2018235386.tif 000016
【図１５】
2018235386.tif 000017
【図１６】
2018235386.tif 000018
【図１７】
2018235386.tif 000019
【図１８】
2018235386.tif 000020
【図１９】
2018235386.tif 000021
【図２０】
2018235386.tif 000022
【図２１】
2018235386.tif 000023
【図２２】
2018235386.tif 000024
【図２３】
2018235386.tif 000025
【図２４】
2018235386.tif 000026
【図２５】
2018235386.tif 000027
【図２６】
2018235386.tif 000028
【図２７】
2018235386.tif 000029
【図２８】
2018235386.tif 000030
【図２９】
2018235386.tif 000031
【図３０】
2018235386.tif 000032
【図３１】
2018235386.tif 000033
【図３２】
2018235386.tif 000034
【図３３】
2018235386.tif 000035
【図３４】
2018235386.tif 000036
【図３５】
2018235386.tif 000037
【図３６】
2018235386.tif 000038
【図３７】
2018235386.tif 000039
【図３８】
2018235386.tif 000040
【図３９】
2018235386.tif 000041
【図４０】
2018235386.tif 000042
【図４１】
2018235386.tif 000043
【図４２】
2018235386.tif 000044
【国際調査報告】
2018235386.tif 000045
2018235386.tif 000046
2018235386.tif 000047
2018235386.tif 000048